(57)【要約】【課題】  広域災害時に、網管理装置は被災エリアの特定と、災害による通信サービスへの影響に基づく経路切替を実施できない。そのため、広域災害により静的論理パスの現用経路と予備経路の両系障害が発生すると、通信システムは通信サービスを継続して提供できない。【解決手段】  本発明を適用した通信システムは網管理装置がエリア毎に障害管理する。網管理装置は通信装置及び通信装置間接続リンクの障害状況に基づいて障害エリアを特定して、論理パスの障害状況に基づいて論理パスの切替要否を決定する。これにより、通信システムは被災エリアを経由しない経路を用いて通信サービスを継続提供できる。【選択図】  図１
2014011753.tif 000002
【特許請求の範囲】
【請求項１】
通信網を構成する複数の通信装置と、前記複数の通信装置と接続され前記通信網上に通信経路を設定する通信網管理装置と、を備える通信システムであって、
前記複数の通信装置の各々は、
前記通信装置又は該通信装置間を接続する物理リンクの障害である第一の障害、及び前記通信経路の障害である第二の障害を検出する障害検出部と、
検出された前記第一の障害に関する第一の障害通知及び前記第二の障害に関する第二の障害通知を前記通信網管理装置に送信する障害通知部と、を有し、
前記通信網管理装置は、前記通信網を複数の通信網エリアに分割して管理し、
前記通信網エリアと該通信網エリアを構成する通信装置又は物理リンクとの対応関係を示す第一の対応情報と、前記通信網エリアと該通信網エリアを経由する通信経路との対応関係を示す第二の対応情報とを保持する記憶部と、
前記第一の障害通知又は／及び前記通信網管理装置と前記通信装置との間の通信状態と、前記第一の対応情報とに基づいて、前記通信網エリア毎に前記第一の障害の情報を管理し、前記第二の障害通知と前記第二の対応情報とに基づいて、前記通信網エリア毎に前記第二の障害の情報を管理し、前記通信網エリア毎の障害状況を前記通信網エリア毎に管理される前記第一の障害の情報と前記第二の障害の情報とに基づいて判定する障害管理部と、を有することを特徴とする通信システム。
【請求項２】
請求項１に記載の通信システムであって、
前記通信網管理装置は、前記障害管理部により前記複数の通信網エリアのうち第一の通信網エリアに障害が発生したと判定された場合、前記第一の通信網エリアを経由する通信経路を介して伝送される情報を、前記第一の通信網エリアを経由しない通信経路を介して伝送するよう通信経路を切り替える通信経路切替部を更に有すること、を特徴とする通信システム。
【請求項３】
請求項１に記載の通信システムであって、
前記通信網管理装置は、第一の通信経路と、該第一の通信経路に障害が発生した場合に用いる第二の通信経路と、該第一の通信経路が経由する通信網エリアが、障害が発生した通信網エリアと判定された場合に用いる少なくとも１以上の第三の通信経路と、を設定する通信経路設定部と、
前記第一の通信経路が経由する通信網エリアが、障害が発生した通信網エリアと判定された場合、前記第一の通信経路を介して伝送される情報を前記第三の通信経路を介して伝送するよう通信経路を切り替える第一の通信経路切替部と、を更に有し、
前記通信装置は、前記第一の通信経路の障害が検出された場合、前記第一の通信経路を介して伝送される情報を前記第二の通信経路を介して伝送するよう通信経路を切り替える第二の通信経路切替部を更に有すること、を特徴とする通信システム。
【請求項４】
請求項１に記載の通信システムであって、
前記障害管理部は、障害状態にある前記通信装置又は／及び前記物理リンクの数が第一の閾値以上、かつ、障害状態にある通信経路の数が第二の閾値以上である通信網エリアを障害が発生した通信網エリアと判定すること、を特徴とする通信システム。
【請求項５】
請求項４に記載の通信システムであって、
前記障害管理部は、
前記第一の対応情報に基づいて、障害状態にある前記通信装置又は／及び前記物理リンクに対応する通信網エリアを特定し、該特定された通信網エリアにおける障害状態にある前記通信装置又は／及び前記物理リンクの数と第一の閾値とを比較し、障害状態にある前記通信装置又は前記物理リンクの数が前記第一の閾値以上である場合、前記特定された通信網エリアにおける障害状態にある前記通信経路の数と第二の閾値とを比較し、障害状態にある前記通信経路の数が前記第二の閾値以上である場合、前記特定された通信網エリアを障害が発生した通信網エリアと判定すること、を特徴とする通信システム。
【請求項６】
請求項１に記載の通信システムであって、
前記障害管理部は、
前記第一の対応情報に基づいて、障害状態にある前記通信装置又は／及び前記物理リンクに対応する前記通信網エリアを特定し、該特定された通信網エリアにおける障害状態にある前記通信経路の数と第二の閾値とを比較し、障害状態にある前記通信経路の数が前記第二の閾値以上である場合、前記特定された通信網エリアを障害が発生した通信網エリアと判定すること、を特徴とする通信システム。
【請求項７】
通信網を構成する複数の通信装置と接続され、前記通信網上に通信経路を設定する通信網管理装置であって、
前記通信網の管理単位である通信網エリアと該通信網エリアを構成する前記通信装置又は／及び該通信装置間を接続する物理リンクとの対応関係を示す第一の対応情報と、前記通信網エリアと該通信網エリアを経由する前記通信経路との対応関係を示す第二の対応情報とを保持する記憶部と、
前記通信装置又は／及び前記物理リンクの障害である第一の障害、及び前記通信経路の障害である第二の障害を検出し、前記第一の対応情報に基づいて前記第一の障害が検出された通信装置又は／及び物理リンクに対応する通信網エリアを特定し、前記第二の対応情報に基づいて前記第二の障害が検出された通信経路が経由する通信網エリアを特定し、前記通信網エリア毎の障害状況を、各通信網エリアにおける前記第一の障害の状況と前記第二の障害の状況とに基づいて判定する制御部と、
を有することを特徴とする通信管理装置。
【請求項８】
請求項７に記載の通信管理装置であって、
前記制御部は、前記通信網エリアのうち第一の通信網エリアに障害が発生したと判定した場合、前記第一の通信網エリアを経由する通信経路を介して伝送される情報を前記第一の通信網エリアを経由しない通信経路を介して伝送するよう通信経路を切り替えるための切替要求を前記通信装置に送信すること、を特徴とする通信管理装置。
【請求項９】
請求項７に記載の通信管理装置であって、
前記制御部は、第一の通信経路と、該第一の通信経路に障害が発生した場合に用いる第二の通信経路と、該第一の通信経路が経由する通信網エリアが、障害が発生した通信網エリアと判定された場合に用いる少なくとも１以上の第三の通信経路と、を設定すること、を特徴とする通信管理装置。
【請求項１０】
請求項７に記載の通信管理装置であって、
前記制御部は、障害状態にある前記通信装置又は／及び前記物理リンクの数が第一の閾値以上、かつ、障害状態にある前記通信経路の数が第二の閾値以上である通信網エリアを障害が発生した通信網エリアと判定すること、を特徴とする通信管理装置。
【請求項１１】
請求項１０に記載の通信管理装置であって、
前記制御部は、前記第一の対応情報に基づいて、障害が検出された前記通信装置又は／及び前記物理リンクに対応する通信網エリアを特定し、該特定された通信網エリアにおける障害状態にある前記通信装置又は／及び前記物理リンクの数と前記第一の閾値とを比較し、障害状態にある前記通信装置又は／及び前記物理リンクの数が前記第一の閾値以上である場合、該特定された通信網エリアにおける障害状態にある前記通信経路の数と前記第二の閾値とを比較すること、を特徴とする通信管理装置。
【請求項１２】
請求項７に記載の通信管理装置であって、
前記制御部は、前記第一の対応情報に基づいて、障害が検出された前記通信装置又は／及び前記物理リンクに対応する通信網エリアを特定し、該特定された通信網エリアにおける障害状態にある前記通信経路の数と第二の閾値とを比較し、障害状態にある前記通信経路の数が前記第二の閾値以上である場合、前記特定された通信網エリアを障害が発生した通信網エリアと判定すること、を特徴とする通信管理装置。
【請求項１３】
複数の通信装置から構成される通信網の管理方法であって、
通信網管理装置は、
前記通信網を複数の通信網エリアに分割して管理し、
前記通信装置又は／及び前記通信装置間を接続する物理リンクの障害である第一の障害、及び前記通信網上に設定された通信経路の障害である第二の障害を検出し、
前記第一の障害が検出された前記通信装置又は／及び前記物理リンクが存在する通信網エリア及び、前記第二の障害が検出された前記通信経路が経由する通信網エリアを特定し、
前記通信網エリア毎の障害状況を、各通信網エリアにおける前記第一の障害の状況と前記第二の障害の状況とに基づいて判定すること、を特徴とする通信網の管理方法。
【請求項１４】
請求項１３に記載の通信網の管理方法であって、
前記通信網管理装置は、前記通信網エリアのうち第一の通信網エリアに障害が発生したと判定した場合、前記第一の通信網エリアを経由する通信経路を介して伝送される情報を前記第一の通信網エリアを経由しない通信経路を介して伝送するよう通信経路を切り替えるための切替要求を前記通信装置に送信すること、を特徴とする通信網の管理方法。
【請求項１５】
請求項１３に記載の通信網の管理方法であって、
前記通信網管理装置は、障害状態にある前記通信装置又は／及び前記物理リンクの数が第一の閾値以上、かつ、障害状態にある前記通信経路の数が第二の閾値以上である通信網エリアを障害が発生した通信網エリアと判定すること、を特徴とする通信網の管理方法。
【発明の詳細な説明】
【技術分野】
【０００１】
本発明は、ネットワークを介してフレームを転送するシステムに関し、特に、データ配信におけるプロテクション技術に関する。
【背景技術】
【０００２】
通信事業者は、企業向け専用線サービス、コンシューマ向け電話サービス、映像配信サービスなど、多岐に渡る種類のサービスを、企業ユーザやコンシューマなどのエンドユーザに提供する。これまで通信事業者は、エンドユーザから要求される高信頼な通信サービスを実現するため、サービス種別毎にＳＯＮＥＴ  ／  ＳＤＨ  （Ｓｙｎｃｈｒｏｎｏｕｓ  Ｏｐｔｉｃａｌ  ＮＥＴｗｏｒｋ  ／  Ｓｙｎｃｈｒｏｎｏｕｓ  Ｄｉｇｉｔａｌ  Ｈｉｅｒａｒｃｈｙ）ベースのトランスポート網を構築し、サービスを提供してきた。近年、通信事業者は通信網設備の老朽化に伴い、複数種類のサービスを単一統合網に収容可能なパケットトランスポートシステムの導入を進めている。
【０００３】
パケットトランスポートシステムに適用する技術として、従来のトランスポートと同様に通信経路を予めエンド・トゥー・エンドで静的に設定するＭＰＬＳ−ＴＰ  （Ｍｕｌｔｉ  Ｐｒｏｔｏｃｏｌ  Ｌａｂｅｌ  Ｓｗｉｔｃｈｉｎｇ  -  Ｔｒａｎｓｐｏｒｔ  Ｐｒｏｆｉｌｅ）が注目されている。ＭＰＬＳ−ＴＰは、ＩＰ（Ｉｎｔｅｒｎｅｔ  Ｐｒｏｔｏｃｏｌ）パケットにラベルを付与し、ラベルを参照してＩＰパケットを転送するＭＰＬＳ（Ｍｕｌｔｉ  Ｐｒｏｔｏｃｏｌ  Ｌａｂｅｌ  Ｓｗｉｔｃｈｉｎｇ）技術の一種である。従来のＭＰＬＳ（以下，ＩＰ／ＭＰＬＳ）はＩＰルーティングプロトコルにより動的に通信経路を設定する。これに対しＭＰＬＳ−ＴＰは、通信経路を静的設定し、通信経路上の接続性を監視するためのＯＡＭ（Ｏｐｅｒａｔｉｏｎ，  Ａｄｍｉｎｉｓｔｒａｔｉｏｎ  ａｎｄ  Ｍａｉｎｔｅｎａｎｃｅ）機能、及び、通信経路毎に予め予備経路を設定し、障害発生時に通信を予備経路へ切替えるプロテクション機能により、従来のトランスポート網と同等の信頼性を実現する。
【０００４】
障害管理の技術としては、特許文献１に記載の技術がある。特許文献１は、フェムトセル基地局グループを管理する制御装置が、予め定めた閾値以上のフェムトセル基地局における障害発生時のみ網管理装置へ通知する、網管理装置負荷削減技術を開示している。また、特許文献２は、予め定めた通信回線グループ毎に、予め定めた閾値以上の通信回線で障害が発生した場合のみ画面表示する運用支援技術を開示している。
また、特許文献３は、通信装置が伝送路障害時に、同一伝送路を経由する論理パスの経路を予め設定済の予備経路へ一括切替する技術を開示している。
【先行技術文献】
【特許文献】
【０００５】
【特許文献１】特開２００９−２３１８６１号公報
【特許文献２】特開２００８−１７８０４５号公報
【特許文献３】特開２０００−７８１５３号公報
【発明の概要】
【発明が解決しようとする課題】
【０００６】
広域災害等の発生時に、静的な通信経路設定をベースとするＭＰＬＳ−ＴＰ網等のトランスポート網において、広域に渡り網設備が稼動不可となった場合においても、重要サービスを継続提供する高い信頼性が求められている。しかし広域災害時には、現用経路とは別の予備経路を予め開通しておいたとしても、現用経路と予備経路の両方で同時に障害が発生すると、経路切替によるサービス継続ができないという課題があった。
【０００７】
特許文献３に記載の技術は、網内の通信経路ごとに障害監視を行い、障害が発生した現用経路が伝送する主信号を、予め通信事業者が設定した予備経路経由に切り替えて伝送する。しかし、広域災害により現用経路と予備経路の両方で障害が発生し、通信不可状態となった場合に、予備経路への切替によるサービス継続ができない。
【０００８】
特許文献１に記載の障害管理技術を用いて、ＭＰＬＳ−ＴＰ網におけるエリア毎の災害の影響有無を管理する場合、例えば、通信装置と網管理装置の間の通信断は発生したが、通信装置間の主信号は導通している状態であっても、網管理装置は通信装置障害と判定し、主信号が導通している経路を障害と扱ってしまう。その結果、広域災害が発生していない場合であっても、主信号が導通している経路を切替えてしまい、切替処理にかかる時間サービス断が発生してしまう。
【０００９】
特許文献２に記載の障害管理技術は、障害を通信回線単位で管理するため、災害の影響を受けたエリアと受けていないエリアを区別できない。そのため、網管理装置が、災害の影響がないエリア経由の通信経路に主信号伝送路を切り替ることができない。
【課題を解決するための手段】
【００１０】
上記の課題を解決するために、本発明の一つの観点では、通信網を構成する複数の通信装置と、複数の通信装置と接続され通信網上に通信経路を設定する通信網管理装置と、を備える通信システムが提供される。当該通信システムでは、複数の通信装置の各々が、通信装置又は通信装置間を接続する物理リンクの障害である第一の障害、及び通信経路の障害である第二の障害を検出する障害検出部と、検出された第一の障害に関する第一の障害通知及び第二の障害に関する第二の障害通知を通信網管理装置に送信する障害通知部と、を有し、通信網管理装置は、通信網を複数の通信網エリアに分割して管理し、通信網エリアと通信網エリアを構成する通信装置又は物理リンクとの対応関係を示す第一の対応情報と、通信網エリアと通信網エリアを経由する通信経路との対応関係を示す第二の対応情報とを保持する記憶部と、第一の障害通知又は／及び通信網管理装置と通信装置との間の通信状態と、第一の対応情報とに基づいて、通信網エリア毎に第一の障害の情報を管理し、第二の障害通知と第二の対応情報とに基づいて、通信網エリア毎に第二の障害の情報を管理し、通信網エリア毎の障害状況を通信網エリア毎に管理される第一の障害の情報と第二の障害の情報とに基づいて判定する障害管理部と、を有する。
【００１１】
本発明の別の観点によれば、通信網を構成する複数の通信装置と接続され、通信網上に通信経路を設定する通信網管理装置が提供される。当該通信網管理装置は、通信網の管理単位である通信網エリアと通信網エリアを構成する通信装置又は／及び通信装置間を接続する物理リンクとの対応関係を示す第一の対応情報と、通信網エリアと通信網エリアを経由する通信経路との対応関係を示す第二の対応情報とを保持する記憶部と、通信装置又は／及び物理リンクの障害である第一の障害、及び通信経路の障害である第二の障害を検出し、第一の対応情報に基づいて第一の障害が検出された通信装置又は／及び物理リンクに対応する通信網エリアを特定し、第二の対応情報に基づいて第二の障害が検出された通信経路が経由する通信網エリアを特定し、通信網エリア毎の障害状況を、各通信網エリアにおける第一の障害の状況と第二の障害の状況とに基づいて判定する制御部と、を有する。
【００１２】
本発明のさらに別の観点によれば、複数の通信装置から構成される通信網の管理方法が提供される。当該通信網の管理方法では、通信網管理装置は、通信網を複数の通信網エリアに分割して管理し、通信装置又は／及び通信装置間を接続する物理リンクの障害である第一の障害、及び通信網上に設定された通信経路の障害である第二の障害を検出し、第一の障害が検出された通信装置又は／及び物理リンクが存在する通信網エリア及び、第二の障害が検出された前記通信経路が経由する通信網エリアを特定し、通信網エリア毎の障害状況を、各通信網エリアにおける第一の障害の状況と第二の障害の状況とに基づいて判定する。
【発明の効果】
【００１３】
本発明によれば、例えば、広域災害が発生した場合に被災エリア経由の通信経路を非被災エリア経由の通信経路に切り替えることでき、通信サービスを継続して提供することが可能となる。
【図面の簡単な説明】
【００１４】
【図１】第１の実施形態を示し、本発明を適用する通信システムの構成例を示すブロック図１。
【図２】第１の実施形態を示し、本発明を適用する通信システムの構成例を示すブロック図２。
【図３】第１の実施形態を示し、本発明を適用する通信システムの構成例を示すブロック図３。
【図４】第１の実施形態を示し、本発明を適用する通信システムの構成例を示すブロック図４。
【図５】第１の実施形態を示し、本発明を適用する通信システムの構成例を示すブロック図５。
【図６】第１の実施形態を示し、網管理装置の構成の一例を示すブロック図。
【図７】第１の実施形態を示し、ＮＥ／ＰＴＰ障害管理部の一例を示すフローチャート。
【図８】第１の実施形態を示し、サービス障害管理部の一例を示すフローチャート。
【図９】第１の実施形態を示し、Ｓｔｅｐ１障害数比較機能の一例を示すフローチャート。
【図１０】第１の実施形態を示し、Ｓｔｅｐ２障害数比較機能の一例を示すフローチャート。
【図１１】第１の実施形態を示し、エリア切替部の一例を示すフローチャート。
【図１２−ａ】第１の実施形態を示し、ＮＥ  Ｏｐｅｒａｔｉｏｎａｌ  Ｓｔａｔｅ管理表の一例を示す説明図。
【図１２−ｂ】ＮＥ  Ｏｐｅｒａｔｉｏｎａｌ  Ｓｔａｔｅ管理表の状態変化の一例を示す図。
【図１２−ｃ】ＮＥ  Ｏｐｅｒａｔｉｏｎａｌ  Ｓｔａｔｅ管理表の状態変化の一例を示す図。
【図１３−ａ】第１の実施形態を示し、ＰＴＰ  Ｏｐｅｒａｔｉｏｎａｌ  Ｓｔａｔｅ管理表の一例を示す説明図。
【図１３−ｂ】ＰＴＰ  Ｏｐｅｒａｔｉｏｎａｌ  Ｓｔａｔｅ管理表の状態変化の一例を示す図。
【図１４】第１の実施形態を示し、ＮＥ−エリア対応表の一例を示す説明図。
【図１５】第１の実施形態を示し、ＰＴＰ−エリア対応表の一例を示す説明図。
【図１６−ａ】第１の実施形態を示し、Ｓｔｅｐ１  ＮＥ障害管理表の一例を示す説明図。
【図１６−ｂ】Ｓｔｅｐ１  ＮＥ障害管理表の状態変化の一例を示す図。
【図１６−ｃ】Ｓｔｅｐ１  ＮＥ障害管理表の状態変化の一例を示す図。
【図１７−ａ】第１の実施形態を示し、Ｓｔｅｐ１  ＰＴＰ障害管理表の一例を示す説明図。
【図１７−ｂ】Ｓｔｅｐ１  ＰＴＰ障害管理表の状態変化の一例を示す図。
【図１７−ｃ】Ｓｔｅｐ１  ＰＴＰ障害管理表の状態変化の一例を示す図。
【図１８−ａ】第１の実施形態を示し、サービス状態管理表の一例を示す説明図。
【図１８−ｂ】サービス状態管理表の状態変化の一例を示す図。
【図１９】第１の実施形態を示し、サービス−エリア対応表の一例を示す説明図。
【図２０−ａ】第１の実施形態を示し、エリア障害管理表の一例を示す説明図。
【図２０−ｂ】エリア障害管理表の状態変化の一例を示す図。
【図２１】第１の実施形態を示し、エリア切替表の一例を示す説明図。
【図２２】第２の実施形態を示し、網管理装置の構成の一例を示すブロック図。
【図２３】第２の実施形態を示し、ＮＥ／ＰＴＰ障害管理部の一例を示すフローチャート。
【図２４】第２の実施形態を示し、サービス障害管理部の一例を示すフローチャート。
【図２５】第２の実施形態を示し、エリア障害管理部の他の一例を示すフローチャート。
【図２６】第２の実施形態を示し、ＮＥ  Ｏｐｅｒａｔｉｏｎａｌ  Ｓｔａｔｅ管理表の一例を示す説明図。
【図２７】第２の実施形態を示し、ＮＥ収容サービス管理表の一例を示す説明図。
【図２８】第２の実施形態を示し、ＰＴＰ収容サービス管理表の一例を示す説明図。
【図２９−ａ】第２の実施形態を示し、エリア障害管理表の一例を示す説明図。
【図２９−ｂ】エリア障害管理表の状態変化の一例を示す図。
【図３０−ａ】第２の実施形態を示し、サービス障害要因管理表の一例を示す説明図。
【図３０−ｂ】サービス障害要因管理表の状態変化の一例を示す図。
【図３０−ｃ】サービス障害要因管理表の状態変化の一例を示す図。
【図３１】第１の実施形態を示し、エリア切替の一例を示すシーケンス図１。
【図３２】第１の実施形態を示し、エリア切替の一例を示すシーケンス図２。
【図３３】第２の実施形態を示し、エリア切替の一例を示すシーケンス図。
【図３４】第１の実施形態を示し、網管理装置の網運用画面の一例を示す説明図。
【図３５】第１の実施形態を示し、網管理装置の障害エリア管理画面の一例を示す説明図。
【図３６】第１の実施形態を示し、本発明を適用する通信システムの構成例を示すブロック図６。
【図３７】ＮＥの物理的な構成と機能の一例を示すハードウェア構成図。
【発明を実施するための形態】
【００１５】
＜第１の実施形態＞
以下、本発明の一実施形態を図面に基づいて説明する。
【００１６】
図１は、本発明を適用する通信装置及び、網管理装置が構成する通信システムの一例を示すブロック図である。本発明による通信システムは、複数のノード（Ｎｅｔｗｏｒｋ  Ｅｌｅｍｅｎｔ  以下ＮＥ）２〜１１から構成される通信網、ＮＥ２〜１１からから構成される通信網を管理する網管理装置１、及び、網管理装置１と複数のＮＥ２〜１１の間を接続する通信網であるＤＣＮ（Ｄａｔａ  Ｃｏｍｍｕｎｉｃａｔｉｏｎ  Ｎｅｔｗｏｒｋ）（ＮＷ１）から構成される。
【００１７】
ＮＥ２〜１１は、ＮＥ間を接続する物理リンク２１〜３３の終端点（Ｐｈｙｓｉｃａｌ  Ｔｅｒｍｉｎａｔｉｏｎ  Ｐｏｉｎｔ  以下ＰＴＰ）を備える。例えば、通信網の管理者は、物理リンク２１を、ＮＥ２が備えるＰＴＰ２−１と、ＮＥ３が備えるＰＴＰ３−１の間の接続する物理リンクとして網管理装置１を用いて設定する。
【００１８】
ＬＳＰ１〜７は、通信網の管理者が静的に設定する通信経路である。実線で示されるＬＳＰ１〜４は、広域災害による経路切替が行われていない状況で運用される通信経路である。一方、破線で示されるＬＳＰ５〜７は、広域災害発生時等の迂回経路として、通信網の管理者が予め網管理装置を用いて設定する通信経路である。
【００１９】
通信網の管理者は、迂回経路とは別に、個々のＬＳＰに対して現用系と予備系のペアからなるプロテクション情報を設定可能である。例えば通信網の管理者は、ＬＳＰ３を現用系、ＬＳＰ１を予備系とする冗長構成を予め網管理装置１を用いて設定する。ＬＳＰ３、及び、ＬＳＰ１を終端するノードであるＮＥ６及びＮＥ９は、ＬＳＰ３の通信障害を検出すると、網管理装置１に対する通知等を行わず、自律的に予備系ＬＳＰ１への切替を行うことでサービスを継続し、Ａｒｅａ１内の広域災害によりＬＳＰ３とＬＳＰ１で両系障害となった場合は、Ａｒｅａ４経由の迂回経路へ切替えることでサービスを継続する。
【００２０】
ＤＣＮは、網管理装置１とＮＥ２〜１１の間を接続する網であり、例えば複数のルータから構成される。
【００２１】
ＮＥ２〜１１から構成される通信網の管理者は、通信網を複数のエリアＡｒｅａ  １〜４に分割して管理する。エリアは、ＮＥ及び、ＮＥ間を接続する物理リンクの集合として定義される集合である。通信網の管理者は、例えば県単位、地方単位、あるいは州単位などでエリアを設定できる。また、通信網の管理者は、例えば地震、津波などの想定災害に応じて、想定被災範囲単位でエリアを設定できる。
【００２２】
網管理装置１は、ＮＥ２〜１１及び物理リンク２１〜３３を複数のエリア（Ａｒｅａ１〜４）に分割し、管理することにより、広域災害発生時、被災エリアを経由するＬＳＰを他のエリア経由に切替、通信サービスを継続して提供できる。
【００２３】
図３７は、ＮＥの物理的な構成と機能の一例を示すブロック図である。
【００２４】
図３７に示すＮＥは、回線１４１（１４１ａ、１４１ｂ）、インタフェース部（ＩＦ）１４２（１４２ａ、１４２ｂ）、バス１４３、プロセッサ１４４、メモリ１４５、及び、ハードディスク１４６を備える。ＮＥが備える各要素は、バス１４３によって接続される。
【００２５】
回線１４１（１４１ａ、１４１ｂ）は、通信網を構成する他のＮＥと接続する。インタフェース部（ＩＦ）１４２（１４２ａ、１４２ｂ）は、回線１４１（１４１ａ、１４１ｂ）を収容する。
【００２６】
プロセッサ１４４は、例えばＣＰＵ等の演算装置である。メモリ１４５は、データ又はプログラムを一時的に保持する記憶領域である。ハードディスク１４６は、データ又はプログラムを保持する記憶領域である。プロセッサ１４４が、メモリ１４５に保持されるプログラムを実行することによって、ＮＥの機能が実装される。
【００２７】
ハードディスク１４６は、パス設定処理部１４８によって定められたパスの情報であるパス設定表１５２及びプロテクション設定表１５３を保持する。パス設定表１５２は、ＬＳＰ  ＩＤ、受信物理ポート番号、及び、送信物理ポート番号を、対応させる情報を保持する。プロテクション設定表１５３は、現用系ＬＳＰ  ＩＤと予備系ＬＳＰ  ＩＤを対応させる情報を保持する。
【００２８】
メモリ１４５には、ＳＮＭＰ通信処理部１４７、パス設定処理部１４８、障害検出処理部１４９、フレーム転送処理部１５０、及び、プロテクション処理部１５１が記憶される。
【００２９】
ＳＮＭＰ通信処理部１４７は、ＳＮＭＰ通信処理を行うプログラムである。ＳＮＭＰ通信処理部１４７は、網管理装置１との間でＳＮＭＰメッセージを送信又は受信する機能を備える。
【００３０】
パス設定処理部１４８は、パスを開通するためのプログラムである。パス設定処理部１４８は、網管理装置１から指定された方路に従ってＬＳＰを開通し、パス設定表１５２を更新する機能を備える。
【００３１】
障害検出処理部１４９は、障害を検出するプログラムである。障害検出処理部１４９は、ＮＥが備えるパッケージカードの障害、物理ポートの障害、及び、ＮＥ自体の障害を検出する機能を有する。
【００３２】
さらに、障害検出処理部１４９は、例えば、定期的にＬＳＰ上で接続を確認するためのフレームを送受信することによって、ＬＳＰ上で通信断が発生した場合にＬＳＰ障害を検出する機能など、ＯＡＭ機能によるＬＳＰ障害検出機能を有する。さらに、障害検出処理部１４９は、障害検出時に網管理装置１へ障害情報を通知する機能を有する。
【００３３】
フレーム転送処理部１５０は、フレームを転送するプログラムである。フレーム転送処理部１５０は、パス設定処理部１４８が設定したＬＳＰの情報に基づいて、フレームを送受信する機能を有する。
【００３４】
プロテクション処理部１５１は、障害検出処理部１４９による障害検出をトリガに、プロテクション設定表１５３に従って現用系ＬＳＰを予備系ＬＳＰへ切替える機能を有する。
【００３５】
ＮＥが障害検出処理部１４９を備えることによって、網管理装置１は、ＮＥから障害通知を受信し、通信網内の障害状態を監視することが可能となる。
【００３６】
なお、各処理部をプログラムによって実装するかわりに、ハードウェアによって実装してもよい。また、各処理部は、一つのプログラム又はハードウェアによって実装されてもよく、一方で、各処理部の処理毎に複数のプログラム又はハードウェアによって実装されてもよい。
【００３７】
図６は網管理装置１の構成の一例を示すハードウェア構成図である。網管理装置１は、ＤＣＮ（ＮＷ１）を介してＮＥ２〜１１と接続する回線１０１（１０１ａ、１０１ｂ）を収容するインタフェース部（ＩＦ）１０２（１０２ａ、１０２ｂ）と、ＣＰＵ１０４と、メモリ１０５と、ハードディスク１０６とから構成される。各構成要素は、バス１０３で接続される。
【００３８】
メモリ１０５には、ＳＮＭＰ（Ｓｉｍｐｌｅ  Ｎｅｔｗｏｒｋ  Ｍａｎａｇｅｍｅｎｔ  Ｐｒｏｔｏｃｏｌ）通信処理を行うプログラムであるＳＮＭＰ通信処理部１０７、通信経路設定処理を行うプログラムである通信経路設定部１３０、エリア設定処理を行うプログラムであるエリア設定部１３１、ＮＥ及びＰＴＰの障害管理を行うプログラムであるＮＥ／ＰＴＰ障害管理部１０８、ＬＳＰの障害管理を行うプログラムであるサービス障害管理部１０９、Ａｒｅａ１〜４の障害管理を行うプログラムであるエリア障害管理部１１０、及び、被災エリア等を経由する現用系のＬＳＰを他のエリア経由のＬＳＰに切替えるプログラムであるエリア切替部１１３が記憶されている。
【００３９】
ＳＮＭＰ通信処理部１０７は、ＮＥ２〜１１との間でＳＮＭＰメッセージを送信または受信する機能を備える。
【００４０】
通信経路設定部１３０は、通信網の管理者に対してＬＳＰ  ＩＤと複数の経由ＮＥの対応情報の設定インタフェースを提供し、通信網の管理者が設定した内容を各ＮＥに対して設定する機能を備える。さらに、通信経路設定部１３０は、通信網の管理者に対して、現用系と予備系のペアのＬＳＰ  ＩＤから構成されるプロテクション情報の設定インタフェースを提供し、通信網の管理者が設定した内容を、該当ＬＳＰを終端するＮＥに対して設定する機能を備える。
【００４１】
エリア設定部１３１は、通信網の管理者に対してＮＥとエリアの対応情報、及び、ＰＴＰとエリアの対応情報の設定インタフェースを提供するとともに、ＬＳ  ＩＤとエリアの対応情報を管理する機能を備える。
【００４２】
ＮＥ／ＰＴＰ障害管理部１０８は、ＮＥ２〜１１またはＮＥ２〜１１が備えるＰＴＰの運用状態が、運用可能状態と運用不可状態のいずれであるかを管理する。
【００４３】
サービス障害管理部１０９は、ＬＳＰ１〜４の運用状態が、運用可能状態と運用不可状態のいずれであるかを管理する。
【００４４】
エリア障害管理部１１０は、エリア（Ａｒｅａ１〜４）毎に障害ＮＥ数または障害ＰＴＰ数と予め網管理者が定めた閾値とを比較するプログラムであるＳｔｅｐ１障害数比較機能１１１と、エリア（Ａｒｅａ１〜４）毎に、該当エリアを経由する障害ＬＳＰ数と予め網管理者が定めた閾値とを比較するプログラムであるＳｔｅｐ２障害数比較機能１１２から構成される。
【００４５】
エリア切替部１１３は、エリア障害管理部１１０により障害と判定されたエリアを経由するＬＳＰを、他のエリア経由に切替える機能を備える。
【００４６】
ハードディスク１０６は、ＮＥ及びＰＴＰの障害管理情報１１４、サービスの障害管理情報１２１、及び、エリア障害時のＬＳＰ切替における、切替前ＬＳＰと切替後のＬＳＰの対応を管理するエリア切替表１２５から構成される。
【００４７】
ＮＥ／ＰＴＰ障害管理情報１１４は、ＮＥ２〜１１の運用状態を管理するＮＥ  Ｏｐｅｒａｔｉｏｎａｌ  Ｓｔａｔｅ管理表１１５、ＮＥ２〜１１が備えるＰＴＰの運用状態を管理するＰＴＰ  Ｏｐｅｒａｔｉｏｎａｌ  Ｓｔａｔｅ管理表１１６、ＮＥ２〜１１と各ＮＥが配置されるエリア（Ａｒｅａ１〜４）との対応情報を管理するＮＥ−エリア対応表１１７、ＮＥ２〜１１が備えるＰＴＰと各ＰＴＰが配置されるエリア（Ａｒｅａ１〜４）との対応情報を管理するＰＴＰ−エリア対応表１１８、エリア毎の障害ＮＥ数および障害ＮＥ数閾値を管理するＳｔｅｐ１  ＮＥ障害管理表１１９、及び、エリア毎の障害ＰＴＰ数および障害ＰＴＰ数閾値を管理するＳｔｅｐ１  ＰＴＰ障害管理表１２０から構成される。
【００４８】
サービス障害管理情報１２１は、ＬＳＰ１〜４の運用状態を管理するサービス状態管理表１２２、ＬＳＰ１〜４と各ＬＳＰが経由するエリア（Ａｒｅａ１〜４）との対応情報を管理するサービス−エリア対応表１２３、及び、エリア毎の障害ＬＳＰ数および障害ＬＳＰ数閾値を管理するエリア障害管理表１２４から構成される。
【００４９】
図１２−ａは、網管理装置１に格納されるＮＥ  Ｏｐｅｒａｔｉｏｎａｌ  Ｓｔａｔｅ管理表１１５のテーブル構成の一例である。ＮＥ  Ｏｐｅｒａｔｉｏｎａｌ  Ｓｔａｔｅ管理表１１５は、ＮＥを一意に識別するＮＥ  ＩＤ（４０１）と、各ＮＥの運用状態を表すＯｐｅｒａｔｉｏｎａｌ  Ｓｔａｔｅ（４０２）の対応情報を格納する。図１２−ａは、全てのＮＥが、障害が発生していない運用可能状態である場合のテーブル構成であり、全てのＮＥのＯｐｅｒａｔｉｏｎａｌ  Ｓｔａｔｅ４０２として、運用可能を意味する”Ｅｎａｂｌｅ”が格納されている。例えば、網管理装置１が、ＮＥ９の障害を検出すると、網管理装置１はＮＥ  Ｏｐｅｒａｔｉｏｎａｌ  Ｓｔａｔｅ管理表１１５内でＮＥ  ＩＤ＝９の行４１０におけるＯｐｅｒａｔｉｏｎａｌ  Ｓｔａｔｅ４０２を、運用不可を意味する”Ｄｉｓａｂｌｅ”に書き換える。その結果、ＮＥ  Ｏｐｅｒａｔｉｏｎａｌ  Ｓｔａｔｅ管理表１１５は、図１２−ｂに示すテーブルに書き換えられる。
【００５０】
網管理装置１がＮＥ  Ｏｐｅｒａｔｉｏｎａｌ  Ｓｔａｔｅ管理表１１５を管理することにより、網管理装置１は、網内の障害ＮＥ数をカウント可能となる。
【００５１】
図１３−ａは、網管理装置１に格納されるＰＴＰ  Ｏｐｅｒａｔｉｏｎａｌ  Ｓｔａｔｅ管理表１１６のテーブル構成の一例である。ＰＴＰ  Ｏｐｅｒａｔｉｏｎａｌ  Ｓｔａｔｅ管理表１１６は、ＰＴＰを一意に識別するＰＴＰ  ＩＤ（４２１）と、各ＰＴＰの運用状態を表すＯｐｅｒａｔｉｏｎａｌ  Ｓｔａｔｅ（４２２）との対応情報を格納する。図１３−ａは、全てのＰＴＰが、障害が発生していない運用可能状態である場合のテーブル構成であり、全てのＰＴＰのＯｐｅｒａｔｉｏｎａｌ  Ｓｔａｔｅ４２２として、運用可能を意味する”Ｅｎａｂｌｅ”が格納されている。例えば、網管理装置１が、ＰＴＰ２−１、ＰＴＰ２−２、ＰＴＰ３−１、及びＰＴＰ４−１の障害を検出すると、網管理装置１はＰＴＰ  Ｏｐｅｒａｔｉｏｎａｌ  Ｓｔａｔｅ管理表１１６内でＰＴＰ  ＩＤ＝２−１，  ２−２，  ３−１，及び４−１に該当する行４２３、４２４、４２５、及び４２８におけるＯｐｅｒａｔｉｏｎａｌ  Ｓｔａｔｅ４２２を、運用不可を意味する”Ｄｉｓａｂｌｅ”に書き換える。その結果、ＰＴＰ  Ｏｐｅｒａｔｉｏｎａｌ  Ｓｔａｔｅ管理表１６は、図１３−ｂに示すテーブルに書き換えられる。
【００５２】
網管理装置１がＰＴＰ  Ｏｐｅｒａｔｉｏｎａｌ  Ｓｔａｔｅ管理表１１６を管理することにより、網管理装置１は、網内の障害ＰＴＰ数をカウント可能となる。
【００５３】
図１４は、網管理装置１に格納されるＮＥ−エリア対応表１１７のテーブル構成の一例である。ＮＥ−エリア対応表１１７は、ＮＥを一意に識別するＮＥ  ＩＤ（４５１）と、各ＮＥが配備されるエリアの識別子であるＡｒｅａ  ＩＤ（４５２）との対応情報を格納する。網管理装置１が、ＮＥ−エリア対応表１１７により、ＮＥ  ＩＤ（４５１）とＡｒｅａ  ＩＤ（４５２）の対応を管理することにより、網管理装置１は、ＮＥ  Ｏｐｅｒａｔｉｏｎａｌ  Ｓｔａｔｅ管理表１１５と組み合わせてエリア毎に障害ＮＥ数をカウント可能となる。
【００５４】
図１５は、網管理装置１に格納されるＰＴＰ−エリア対応表１１８のテーブル構成の一例である。ＰＴＰ−エリア対応表１１８は、ＰＴＰを一意に識別するＰＴＰ  ＩＤ（４７１）と、各ＰＴＰが配備されるエリアの識別子であるＡｒｅａ  ＩＤ（４７２）との対応情報を格納する。網管理装置１が、ＰＴＰ−エリア対応表１１８により、ＰＴＰ  ＩＤ（４７１）とＡｒｅａ  ＩＤ（４７２）との対応を管理することにより、網管理装置１は、ＰＴＰ  Ｏｐｅｒａｔｉｏｎａｌ  Ｓｔａｔｅ管理表１１６と組み合わせてエリア毎に障害ＰＴＰ数をカウント可能となる。
【００５５】
図１６−ａは、網管理装置１に格納されるＳｔｅｐ１  ＮＥ障害管理表１１９のテーブル構成の一例である。Ｓｔｅｐ１  ＮＥ障害管理表１１９は、エリアを一意に識別するＡｒｅａ  ＩＤ（５０１）、各Ａｒｅａに配備されるＮＥ数（５０２）、障害ＮＥ数（５０３）、予め網管理者がエリア毎に設定するＳｔｅｐ１閾値（５０４）、及び、Ｓｔｅｐ１またはＳｔｅｐ２のいずれかの状態をとる現在状態（５０５）の対応情報を格納する。網管理装置１は、ＮＥ数５０２に対する障害ＮＥ数５０３の割合が、Ｓｔｅｐ１閾値５０４に達した場合に、現在状態５０５をＮＥ及びＰＴＰの障害状況に基づいて障害エリアを特定する状態Ｓｔｅｐ１から、災害等によるＬＳＰに対する影響を判定する状態Ｓｔｅｐ２に更新する。網管理者は、個々のＬＳＰに対して設定する現用系と予備系のペアからなるＬＳＰプロテクションにより救済可能な範囲では、個々のＬＳＰがエリア単位のＬＳＰ切替ではなくプロテクションにより救済されるように、Ｓｔｅｐ１閾値５０４を設定する。例えば、Ａｒｅａ内で全てのＬＳＰに対して現用系と予備系のペアが設定されている場合は、統計的に５０％のＮＥ障害をプロテクションで救済可能なので、Ｓｔｅｐ１閾値として５０％を設定する。また、網管理者が、プロテクション構成の両系障害によるサービス断を高い確率で回避することを望む場合は、Ｓｔｅｐ１閾値５０４として例えば３０％など、より低い値を設定する。
【００５６】
網管理装置１はＳｔｅｐ１  ＮＥ障害管理表１１９を管理し、ＮＥ数５０２に対する障害ＮＥ数５０３の割合がＳｔｅｐ１閾値５０４に達した場合に、現在状態５０５を、ＮＥ及びＰＴＰの障害状況に基づいて障害エリアを特定する状態Ｓｔｅｐ１から、災害等によるＬＳＰに対する影響を判定する状態Ｓｔｅｐ２に更新する。これにより、被災等による障害エリアを特定し、該当エリアを経由するＬＳＰ数に対する障害ＬＳＰ数に基づいたエリア障害判定が可能となる。
【００５７】
図１７−ａは、網管理装置１に格納されるＳｔｅｐ１  ＰＴＰ障害管理表１２０のテーブル構成の一例である。Ｓｔｅｐ１  ＰＴＰ障害管理表１２０は、エリアを一意に識別するＡｒｅａ  ＩＤ（５１１）、各Ａｒｅａに配備されるＰＴＰ数（５１２）、障害ＰＴＰ数（５１３）、予め網管理者がエリア毎に設定するＳｔｅｐ１閾値（５１４）、及び、Ｓｔｅｐ１またはＳｔｅｐ２のいずれかの状態をとる現在状態（５１５）の対応情報を格納する。網管理装置１は、ＰＴＰ数５１２に対する障害ＰＴＰ数５１３の割合が、Ｓｔｅｐ１閾値５１４に達した場合に、現在状態５１５をＮＥ及びＰＴＰの障害状況に基づいて障害エリアを特定する状態Ｓｔｅｐ１から、災害等によるＬＳＰに対する影響を判定する状態Ｓｔｅｐ２に更新する。Ｓｔｅｐ１の閾値はＳｔｅｐ１  ＮＥ障害管理表１１９のテーブルの場合と同様の方法で決定することができる。
【００５８】
網管理装置１はＳｔｅｐ１  ＰＴＰ障害管理表１２０を管理し、ＰＴＰ数５１２に対する障害ＰＴＰ数５１３の割合がＳｔｅｐ１閾値５１４に達した場合に、現在状態５１５を、ＮＥ及びＰＴＰの障害状況に基づいて障害エリアを特定する状態Ｓｔｅｐ１から、災害等によるＬＳＰに対する影響を判定する状態Ｓｔｅｐ２に更新する。これにより、被災エリアを特定し、該当エリアを経由するＬＳＰ数に対する障害ＬＳＰ数に基づいたエリア障害判定が可能となる。
【００５９】
図１８−ａは、網管理装置１に格納されるサービス状態管理表１２２のテーブル構成の一例である。サービス状態管理表１２２は、ＬＳＰを一意に識別するＬＳＰ  ＩＤ（５２１）と、各ＬＳＰの運用状態（５２２）との対応情報を格納する。図１８−ａは、全てのＬＳＰが、障害が発生していない運用可能状態である場合のテーブル構成であり、全てのＬＳＰの運用状態５２２として、“運用”が格納されている。例えば、網管理装置１が、ＬＳＰ１，ＬＳＰ３、及び、ＬＳＰ４の障害を検出すると、網管理装置１はサービス状態管理表１２２内でＬＳＰ  ＩＤ＝１、３、及び４の行５２３、５２５、及び５２６における運用状態５２２を”障害”に書き換える。その結果、サービス状態管理表１２２は、図１８−ｂに示すテーブルに書き換えられる。
【００６０】
網管理装置１がサービス状態管理表１２２を管理することにより、網管理装置１は、網内の障害ＬＳＰ数をカウント可能となる。
【００６１】
図１９は、網管理装置１に格納されるサービス−エリア対応表１２３のテーブル構成の一例である。サービス−エリア対応表１２３は、ＬＳＰを一意に識別するＬＳＰ  ＩＤ（５３１）と、各ＬＳＰが経由するエリアの識別子であるＬＳＰ経由Ａｒｅａ  ＩＤ（５３２）との対応情報を格納する。網管理装置１が、サービス−エリア対応表１２３により、ＬＳＰ  ＩＤ（５３１）とＬＳＰ経由Ａｒｅａ  ＩＤ（５３２）との対応を管理することにより、網管理装置１は、サービス−エリア対応表１２３とサービス状態管理表１２２とを組み合わせてエリア毎に障害ＬＳＰ数をカウント可能となる。
【００６２】
図２０−ａは、網管理装置１に格納されるエリア障害管理表１２４のテーブル構成の一例である。エリア障害管理表１２４は、エリアを一意に識別するＡｒｅａ  ＩＤ（５４１）、各Ａｒｅａ経由するＬＳＰ数（５４２）、該当エリアを経由する障害ＬＳＰ数（５４３）、予め網管理者がエリア毎に設定するＳｔｅｐ２閾値（５４４）、及び、該当エリアの現在状態（５４５）の対応情報を格納する。網管理装置１は、ＬＳＰ数５４２に対する障害ＬＳＰ数５４３の割合が、Ｓｔｅｐ２閾値５４４に達した場合に、現在状態５４５を“正常”から“障害”に更新する。網管理者が現用系と予備系のペアからなるＬＳＰプロテクションを設定した場合、網管理装置１は、現用系ＬＳＰと予備系ＬＳＰ個別に障害ＬＳＰ数のカウントを行う。つまり、現用系ＬＳＰの障害により予備系ＬＳＰへ切り替わった状態であれば、ＬＳＰ1本の障害として扱い、現用系と予備系の両ＬＳＰが障害となれば、ＬＳＰ２本の障害として扱う。網管理装置は、予備系ＬＳＰへ切り替わった状態でエリア単位のＬＳＰ切替を行う場合は、予備系ＬＳＰも別エリア経由のＬＳＰへ切替える。
【００６３】
網管理者は、個々のＬＳＰに対して設定する現用系と予備系のペアからなるＬＳＰプロテクションにより救済可能な範囲では、個々のＬＳＰがエリア単位のＬＳＰ切替ではなくプロテクションにより救済されるように、Ｓｔｅｐ２閾値５４４を設定する。例えば、Ｓｔｅｐ２の閾値はＳｔｅｐ１の閾値と同様の方法で決定することができる。
【００６４】
網管理装置１は、Ｓｔｅｐ１  ＮＥ障害管理表１１９の現在状態５０５またはＳｔｅｐ１  ＰＴＰ障害管理表１２０の現在状態５１５のいずれかがＳｔｅｐ２であるエリアのみについて、エリア障害管理表１２４を生成し、ＬＳＰ数５４２に対する障害ＬＳＰ数５４３の割合がＳｔｅｐ２閾値５４４に達した場合に、現在状態５４５を、“正常”から“障害”に更新する。これにより、網管理装置１は、障害ＬＳＰ数に基づいたエリア障害を判定可能となる。
【００６５】
図２１は、網管理装置１に格納されるエリア切替表１２５のテーブル構成の一例である。エリア切替表１２５は、障害エリアを一意に識別する障害Ａｒｅａ  ＩＤ（５５１）毎に、切替前ＬＳＰ  ＩＤ（５５２）、切替後ＬＳＰ  ＩＤ（５５３）及び、切替前後の各ＬＳＰの端点が位置するＮＥを識別するための始点ＮＥ  ＩＤ（５５４）と終点ＮＥ  ＩＤ（５５５）の対応情報を格納する。網管理装置１は、エリア障害管理表１２４の現在状態５４５が“障害”となったエリアの識別子をキーに、エリア切替表１２５を検索する。続いて網管理装置１は、切替前ＬＳＰ  ＩＤ（５５２）で識別されるＬＳＰ経由で伝送する主信号を、切替後ＬＳＰ  ＩＤ（５５３）で識別されるＬＳＰ経由に切替えるため、始点ＮＥ  ＩＤ（５５４）及び終点ＮＥ  ＩＤ（５５５）で識別されるＮＥへリクエストを送信する。網管理装置１が、障害エリアを経由するＬＳＰを、エリア切替表１２５を用いて切替えることにより、網管理者は、広域災害等による障害エリアを迂回するＬＳＰを用いて、通信サービスを継続提供可能となる。
【００６６】
図３１に示すシーケンスに従って、Ａｒｅａ１で広域災害等により、複数の物理リンクで障害が発生した場合に、網管理装置１が網内ＮＥに対して経路切替指示を送信する手順を説明する。
【００６７】
網管理者はサービス提供開始のタイミングで、マウス、キーボード、ディスプレイ等の入出力インタフェースを用いて、網管理装置１が管理するＮＥ−エリア対応表１１７、ＰＴＰ−エリア対応表１１８、Ｓｔｅｐ１  ＮＥ障害管理表１１９におけるＳｔｅｐ１閾値５０４、Ｓｔｅｐ１  ＰＴＰ障害管理表１２０におけるＳｔｅｐ１閾値５１４、サービス−エリア対応表１２３、エリア障害管理表１２４におけるＳｔｅｐ２閾値５４４、及び、エリア切替表１２５の各情報を網管理装置１に設定する。続いて、網管理装置１は、ＮＥ／ＰＴＰ障害管理部１０８、サービス障害管理部１０９、及びＳｔｅｐ１障害数比較機能１１１を起動する（８０１、８０２、８０３）。
【００６８】
Ａｒｅａ１で広域災害の発生等により、物理リンク２１で障害が発生した場合、まず、物理リンク２１の終端点であるＰＴＰ２−１及びＰＴＰ３−１の警報通知をＮＥ２、及び、ＮＥ３が網管理装置１へ送信する（８０４、８０５）。網管理装置１がＰＴＰ２−１及びＰＴＰ３−１の警報通知を受信すると、網管理装置１はＮＥ／ＰＴＰ障害管理部１０８の処理により、ＰＴＰ  Ｏｐｅｒａｔｉｏｎａｌ  Ｓｔａｔｅ管理表１１６、及び、Ｓｔｅｐ１  ＰＴＰ障害管理表１２０を更新する。
【００６９】
ＮＥ／ＰＴＰ障害管理部１０８の各処理ステップを図７に示す。図７で、処理開始（２０１）後、網管理装置１がＮＥまたはＰＴＰの警報発生通知を受信すると（２００）、ＮＥ  Ｏｐｅｒａｔｉｏｎａｌ  Ｓｔａｔｅ管理表１１５またはＰＴＰ  Ｏｐｅｒａｔｉｏｎａｌ  Ｓｔａｔｅ管理表１１６を検索し、該当ＮＥまたは該当ＰＴＰのＯｐｅｒａｔｉｏｎａｌ  Ｓｔａｔｅフィールドを“Ｅｎａｂｌｅ”から“Ｄｉｓａｂｌｅ”に更新する（２０２）。続いて、網管理装置１は警報発生したＮＥまたはＰＴＰのＩＤをキーにＮＥ−エリア対応表１１７またはＰＴＰ−エリア対応表１１８を検索し、障害が発生したＮＥまたはＰＴＰが配備されているエリアを特定する（２０３）。続いて網管理装置１は、ＮＥの警報発生通知を受信した場合は、特定したエリアの識別子をキーにＳｔｅｐ１  ＮＥ障害管理表１１９を検索し、障害ＮＥ数を加算する。一方、網管理装置１がＰＴＰの警報発生通知を受信した場合は、特定したエリアの識別子をキーにＳｔｅｐ１  ＰＴＰ障害管理表１２０を検索し、障害ＰＴＰ数を加算する（２０４）。ステップ２０４終了後、ステップ２００に戻る。
【００７０】
一方、網管理装置がステップ２００で警報発生通知を受信しない場合は、ＮＥまたはＰＴＰの警報回復通知の受信有無を確認し（２０５）、警報回復通知がない場合は、再度ステップ２００に戻る。網管理装置１がＮＥまたはＰＴＰの警報回復通知を受信した場合は、ＮＥ  Ｏｐｅｒａｔｉｏｎａｌ  Ｓｔａｔｅ管理表１１５またはＰＴＰ  Ｏｐｅｒａｔｉｏｎａｌ  Ｓｔａｔｅ管理表１１６を検索し、該当ＮＥまたは該当ＰＴＰのＯｐｅｒａｔｉｏｎａｌ  Ｓｔａｔｅフィールドを“Ｄｉｓａｂｌｅ”から“Ｅｎａｂｌｅ”に更新する（２０６）。続いて、網管理装置１は警報回復したＮＥまたはＰＴＰのＩＤをキーにＮＥ−エリア対応表１１７またはＰＴＰ−エリア対応表１１８を検索し、障害が発生したＮＥまたはＰＴＰが配備されているエリアを特定する（２０７）。続いて網管理装置１は、ＮＥの警報回復通知を受信した場合は、特定したエリアの識別子をキーにＳｔｅｐ１  ＮＥ障害管理表１１９を検索し、障害ＮＥ数を減算する。一方、網管理装置１がＰＴＰの警報回復通知を受信した場合は、特定したエリアの識別子をキーにＳｔｅｐ１  ＰＴＰ障害管理表１２０を検索し、障害ＰＴＰ数を減算する（２０８）。ステップ２０８終了後、ステップ２００に戻る。
【００７１】
ＮＥ／ＰＴＰ障害管理部１０８が、ＮＥ／ＰＴＰの警報発生時及び回復時に、ＮＥ  Ｏｐｅｒａｔｉｏｎａｌ  Ｓｔａｔｅ管理表１１５及びＳｔｅｐ１  ＮＥ障害管理表１１９、または、ＰＴＰ  Ｏｐｅｒａｔｉｏｎａｌ  Ｓｔａｔｅ管理表１１６及びＳｔｅｐ１  ＰＴＰ障害管理表１２０を更新することにより、網管理装置１が、エリア単位で障害ＮＥ数及び障害ＰＴＰ数を管理可能となる。
【００７２】
図３１に戻り、網管理装置１は、物理リンク２１の終端点であるＰＴＰ２−１及びＰＴＰ３−１の警報通知をＮＥ２、及び、ＮＥ３から受信すると（８０４、８０５）、ＮＥ／ＰＴＰ障害管理部１０８の処理ステップ２０２で、ＰＴＰ  Ｏｐｅｒａｔｉｏｎａｌ  Ｓｔａｔｅ管理表１１６のＰＴＰ  ＩＤ２−１及び３−１が含まれる行４２３及び４２５のＯｐｅｒａｔｉｏｎａｌ  Ｓｔａｔｅ４２２を、“Ｅｎａｂｌｅ”から“Ｄｉｓａｂｌｅ”に更新する。さらに、網管理装置１は、ＮＥ／ＰＴＰ障害管理部１０８の処理ステップ２０４により、Ｓｔｅｐ１  ＰＴＰ障害管理表１２０のＡｒｅａ  ＩＤ＝１が含まれる行５１６を対象に、障害ＰＴＰ数５１３を２加算する。
【００７３】
続いて、物理リンク２１が収容するＬＳＰ３の端点に位置するＮＥ６及びＮＥ９がＬＳＰ３の警報通知を網管理装置１に送信する（８０６）。網管理装置１がＬＳＰ３の警報通知を受信すると、網管理装置１はサービス障害管理部１０９の処理により、サービス状態管理表１２２、及び、エリア障害管理表１２４を更新する。
【００７４】
サービス障害管理部１０９の各処理ステップを図８に示す。図８で、処理開始（２２１）後、網管理装置１がＬＳＰ３の警報発生通知を受信すると（２２２）、サービス状態管理表１２２を検索し、ＬＳＰ３の運用状態フィールドを“運用”から“障害”に更新する（２２３）。続いて、網管理装置１は警報発生したＬＳＰのＩＤである“３”をキーにサービス−エリア対応表１２３を検索し、障害が発生したＬＳＰ３の経由エリアの識別子１、２、４を取得する（２２４）。続いてカウンタｉ＝１とし（２２５）、Ａｒｅａ  ＩＤ＝ｉがステップ２２４で取得した経由エリアであるか確認する（２２６）。Ａｒｅａ  ＩＤ＝１はステップ２２４で取得した経由エリアなので、ステップ２２７に進み、Ａｒｅａ１のエリア障害管理表１２４が存在するか確認する。Ａｒｅａ１のエリア障害管理表１２４が存在する場合はエリア障害管理表１２４を検索し、該当経由エリアの障害ＬＳＰ数を加算し（２２８）、ステップ２２９へ進む。Ａｒｅａ１のエリア障害管理表１２４は存在しないので、ステップ２２８の処理は行わず、ステップ２２９へすすむ。ステップ２２９でカウンタｉを１加算して２とし、ｉ＝２と通信網で定義するエリア数４との大小比較を行う。ｉ＝２はエリア数４を超えていないので、ステップ２２６に戻り、ステップ２２６〜２３０の処理を再度実行する。ステップ２３０でｉ＝３はエリア数４を超えていないため、再度ステップ２２６に戻るが、Ａｒｅａ  ＩＤ＝３はステップ２２４で取得した経由エリアに含まれないため、ステップ２２７及びステップ２２８の処理を行わず、ステップ２２９でカウンタｉを１加算して４とし（２２９）、ｉ＝４と通信網で定義するエリア数４との大小比較を行う（２３０）。ステップ２３０でｉ＝４はエリア数４を超えていないため、ステップ２２６に戻り、ステップ２２６〜２３０の処理を再度実行する。ステップ２３０で、ｉ＝５がエリア数４を超えているため、ステップ２２２に戻る。
【００７５】
一方、ステップ２２２でＬＳＰの警報発生通知を受信していない場合は、ＬＳＰの警報回復通知の受信有無を確認し（ステップ２３１）、警報回復通知を受信した場合はサービス状態管理表１２２を検索し、該当ＬＳＰの運用状態フィールドを“障害”から“運用”に更新する（２３２）。続いて、網管理装置１は警報回復したＬＳＰのＩＤをキーにサービス−エリア対応表１２３を検索し、該当ＬＳＰ３の経由エリアの識別子を取得する（２３３）。続いてカウンタｉ＝１とし（２３４）、Ａｒｅａ  ＩＤ＝ｉがステップ２３３で取得した経由エリアであるか確認する（２３５）。Ａｒｅａ  ＩＤ＝ｉがステップ２３３で取得した経由エリアである場合は、ステップ２３６に進み、Ａｒｅａ  ＩＤ＝ｉのエリア障害管理表１２４が存在するか確認する。Ａｒｅａ  ＩＤ＝ｉのエリア障害管理表１２４が存在する場合はエリア障害管理表１２４を検索し、該当経由エリアの障害ＬＳＰ数を減算し（２３７）、ステップ２３８へ進む。一方、ステップ２３６でＡｒｅａ  ＩＤ＝ｉのエリア障害管理表１２４が存在しない場合は、ステップ２３７の処理は行わず、ステップ２３８へ進む。ステップ２３８で、カウンタｉを１加算して２とし、ｉ＝２と通信網で定義するエリア数４との大小比較を行う（２３９）。ｉ＝２はエリア数４を超えていないので、ステップ２３５に戻り、ステップ２３５〜２３９の処理を再度実行する。ステップ２３５で、Ａｒｅａ  ＩＤ＝ｉがステップ２３３で取得した経由エリアに含まれない場合は、ステップ２３６、２３７の処理を行わず、ステップ２３８に進む。ステップ２３９で、ｉが、通信網で定義するエリア数４を超える場合は、ステップ２２２に戻り、ＬＳＰの警報発生または警報回復通知の受信待ち状態となる。
【００７６】
網管理装置１が、サービス障害管理部１０９の処理により、ＬＳＰ警報発生時及びＬＳＰ警報回復時に、エリア障害管理表１２４の障害ＬＳＰ数を更新することで、網管理装置１は、エリア毎に障害状態の経由ＬＳＰ数を管理可能となる。
【００７７】
図３１に戻り、網管理装置１は、ＬＳＰ３の警報通知をＮＥ６、及び、ＮＥ９から受信すると（８０６）、サービス障害管理部１０９の処理ステップ２２３で、サービス状態管理表１２２のＬＳＰ  ＩＤ３が含まれる行５２５の運用状態５２２を、“運用”から“障害”に更新する。
【００７８】
網管理者が予め、ＬＳＰ３を現用系、ＬＳＰ１を予備系とするプロテクション構成を設定していた場合、ＮＥ６及びＮＥ９が自律的に、ＬＳＰ３で伝送していた主信号をＬＳＰ１経由に切替える。
【００７９】
続いて物理リンク２２で障害が発生すると、物理リンク２２の終端点であるＰＴＰ２−２及びＰＴＰ４−１の警報通知をＮＥ２、及び、ＮＥ４が網管理装置１へ送信する（８０７、８０８）。網管理装置１がＰＴＰ２−２及びＰＴＰ４−１の警報通知を受信すると、網管理装置１はＮＥ／ＰＴＰ障害管理部１０８のステップ２０２の処理により、ＰＴＰ  Ｏｐｅｒａｔｉｏｎａｌ  Ｓｔａｔｅ管理表１１６のＰＴＰ  ＩＤ＝２−２及び４−１が含まれる行４２４及び４２８のＯｐｅｒａｔｉｏｎａｌ  Ｓｔａｔｅ４２２を“Ｅｎａｂｌｅ”から“Ｄｉｓａｂｌｅ”に更新する。
【００８０】
さらに網管理装置１は、ＮＥ／ＰＴＰ障害管理部１０８のステップ２０４の処理により、Ｓｔｅｐ１  ＰＴＰ障害管理表１２０のＡｒｅａ  ＩＤ＝１が含まれる行５１６を対象に、障害ＰＴＰ数５１３を２加算する。その結果、Ｓｔｅｐ１  ＰＴＰ障害管理表１２０は図１７−ｂに示す状態となる。
【００８１】
続いて、物理リンク２２が収容するＬＳＰ４の端点に位置するＮＥ２及びＮＥ１１がＬＳＰ４の警報通知を網管理装置１に送信する（８０９）。網管理装置１がＬＳＰ４の警報通知を受信すると、網管理装置１はサービス障害管理部１０９の処理により、サービス状態管理表１２２、及び、エリア障害管理表１２４を更新する。
【００８２】
物理リンク２１と物理リンク２２で障害が発生した時点では、図２に示した通り、Ａｒｅａ１の広域災害向け迂回経路であるＬＳＰ５、６、７の運用は開始されない。網管理者が予め、ＬＳＰ３を現用系、ＬＳＰ１を予備系とするプロテクション構成を設定していた場合、ＮＥ６及びＮＥ９が自律的に、ＬＳＰ３で伝送していた主信号をＬＳＰ１経由に切替える。迂回経路であるＬＳＰ５、６、７への切替よりも、ＮＥ自律による高速なプロテクションを優先することにより、局所的な障害の際は短い通信断時間の通信経路切替により、サービスを継続して提供することが可能となる。
【００８３】
図３１に戻り、物理リンク２３で障害が発生すると、物理リンク２３の終端点であるＰＴＰ３−３及びＰＴＰ４−３の警報通知をＮＥ３、及び、ＮＥ４が網管理装置１へ送信する（８１１、８１２）。網管理装置１がＰＴＰ４−４及びＰＴＰ４−３の警報通知を受信すると、網管理装置１はＮＥ／ＰＴＰ障害管理部１０８の処理（図７  ステップ２０２）により、ＰＴＰ  Ｏｐｅｒａｔｉｏｎａｌ  Ｓｔａｔｅ管理表１１６のＰＴＰ  ＩＤ＝３−３及び４−３が含まれる行４２７及び４３０のＯｐｅｒａｔｉｏｎａｌ  Ｓｔａｔｅ４２２を“Ｅｎａｂｌｅ”から“Ｄｉｓａｂｌｅ”に更新する。その結果、ＰＴＰ  Ｏｐｅｒａｔｉｏｎａｌ  Ｓｔａｔｅ管理表１１６は、図１３−ｂに示す状態となる。
【００８４】
さらに網管理装置１は、ＮＥ／ＰＴＰ障害管理部１０８の処理（図７  ステップ２０４）により、Ｓｔｅｐ１  ＰＴＰ障害管理表１２０のＡｒｅａ  ＩＤ＝１が含まれる行５１６を対象に、障害ＰＴＰ数５１３を２加算する。
【００８５】
続いて、物理リンク２３が収容するＬＳＰ１の端点に位置するＮＥ６及びＮＥ９がＬＳＰ１の警報通知を網管理装置１に送信する（８１３）。網管理装置１がＬＳＰ１の警報通知を受信すると、網管理装置１はサービス障害管理部１０９の処理により、サービス状態管理表１２２、及び、エリア障害管理表１２４を更新する。その結果、サービス状態管理表１２２は、図１８−ｂに示す状態となる。
【００８６】
網管理装置１は、Ｓｔｅｐ１障害数比較機能１１１により、Ａｒｅａ１のＰＴＰ数５１２に対する障害ＰＴＰ数５１３の割合がＳｔｅｐ１閾値５１４に達したことを検出する（８１０）。
【００８７】
Ｓｔｅｐ１障害数比較機能１１１の各処理ステップを図９に示す。図９で、処理開始（２５１）後、網管理装置１はカウンタｉ＝１とし（２５２）、Ｓｔｅｐ１  ＮＥ障害管理表１１９及びＳｔｅｐ１ＰＴＰ障害管理表１２０で、Ａｒｅａ  ＩＤ＝ｉの行を検索する（２５３）。続いて網管理装置１は、Ａｒｅａ  ＩＤ＝ｉの障害ＮＥ数５０３÷ＮＥ数５０２≧Ｓｔｅｐ１閾値５０４、あるいは、障害ＰＴＰ数５１３÷ＰＴＰ数５１２≧Ｓｔｅｐ１閾値５１４の条件を満たすか確認する（２５４）。いずれか一つの条件または両方の条件を満たす場合はステップ２５５に進み、Ｓｔｅｐ１  ＮＥ障害管理表１１９及びＳｔｅｐ１  ＰＴＰ障害管理表１２０の両方でＡｒｅａ  ＩＤ＝ｉの状態フィールドを”Ｓｔｅｐ２”に更新する。ｉ＝１で障害ＰＴＰ数５１３÷ＰＴＰ数５１２≧Ｓｔｅｐ１閾値５１４の条件を満たすため、Ｓｔｅｐ１  ＰＴＰ障害管理表１２０は図１７−ｃに示す状態となる。続いて、Ａｒｅａ  ＩＤ＝ｉで識別されるエリアでＳｔｅｐ２障害数比較機能１１２を起動し（ステップ２５６）、ステップ２５７に進む。ステップ２５４でいずれの条件も満たさない場合は、ステップ２５５、２５６の処理を行わず、ステップ２５７に進む。ステップ２５７で網管理装置はカウンタｉを１加算し、ｉと通信網で定義するエリア数４との大小比較を行う（２５８）。ｉが通信網で定義するエリア数４を超えない場合はステップ２５３〜ステップ２５８の処理を再度繰り返す。ｉが通信網で定義するエリア数４を超える場合はステップ２５２に戻り、ステップ２５２〜ステップ２５８の処理を繰り返す。
【００８８】
網管理装置１はＳｔｅｐ１障害数比較機能１１１により、エリア毎に、ＮＥ数５０３÷ＮＥ数５０２≧Ｓｔｅｐ１閾値５０４、あるいは、障害ＰＴＰ数５１３÷ＰＴＰ数５１２≧Ｓｔｅｐ１閾値５１４の条件を満たすか確認し、いずれかの条件を満たすエリアのみでＳｔｅｐ２障害数比較を起動する。これにより、網管理装置１は、被災エリアを対象に、ＬＳＰ数に対する障害ＬＳＰ数に基づくエリア障害判定を実施可能となる。
【００８９】
続いて、図９のステップ２５６において網管理装置１が起動するＡｒｅａ  ＩＤ＝ｉのＳｔｅｐ２障害数比較機能１１２の各処理ステップを図１０に示す。図１０で、網管理装置１は処理開始（２７１）後、網管理装置１はＡｒｅａ  ＩＤ＝ｉのエリア障害管理表１２４を、ＬＳＰ数＝０，  障害ＬＳＰ数＝０，  Ｓｔｅｐ２閾値＝６０％（網管理者が予め設定した値）、エリア状態＝正常、として生成する（２７２）。続いて、網管理装置１はカウンタｎ＝１とし（２７３）、サービス−エリア対応表１２３をＬＳＰ  ＩＤ＝ｎをキーに検索して、ＬＳＰ経由Ａｒｅａ  ＩＤ５３２のフィールドに  ＬＳＰ経由Ａｒｅａ  ＩＤ＝ｉが存在するか確認する（２７４）。ＬＳＰ経由Ａｒｅａ  ＩＤ＝ｉが存在しない場合は、ステップ２７８の処理に進む。ＬＳＰ経由Ａｒｅａ  ＩＤ＝ｉが存在する場合、網管理装置１はステップ２７２で生成したエリア障害管理表１２４のＬＳＰ数５４２を１加算する（２７５）。続いて、網管理装置１はＬＳＰ  ＩＤ＝ｎをキーにサービス状態管理表１２２を検索し、運用状態５２２が”障害”となっているか確認する（２７６）。運用状態５２２が“障害”ではなく“運用”となっている場合は、ステップ２７８の処理に進む。運用状態５２２が“障害”の場合は、ステップ２７２で生成したエリア障害管理表１２４の障害ＬＳＰ数５４３を１加算する（２７７）。続いてステップ２７８に進み、網管理装置１はカウンタｎを１加算する。網管理装置１は、迂回経路であるＬＳＰ５、６、７を除く通信網のＬＳＰ数で表されるサービス数４とｎの大小比較を行う（２７９）。ｎ＞サービス数の条件を満たさない場合は、ステップ２７４〜ステップ２７９の処理を再度行う。ｎ＞サービスの条件を満たす場合、網管理装置１は、障害ＬＳＰ数５４３÷ＬＳＰ数５４２≧Ｓｔｅｐ２閾値５４４の条件を満たすか確認する（２８０）。条件を満たさない場合は、ステップ２８２へ進む。条件を満たす場合、網管理装置１はＡｒｅａ  ＩＤ＝ｉを障害エリアと判定し、エリア障害管理表１２４のエリア状態５４５を“正常”から“障害”に更新し、エリア切替部１１３を起動して（２８１）、ステップ２８２へ進む。網管理装置１は、Ｓｔｅｐ１ＮＥ障害管理表１１９のＡｒｅａ  ＩＤ＝ｉの行で障害ＮＥ数５０３÷ＮＥ数５０２＜Ｓｔｅｐ１閾値５０４、かつ、Ｓｔｅｐ１ＰＴＰ障害管理表１２０のＡｒｅａ  ＩＤ＝ｉの行で障害ＰＴＰ数５１３÷ＰＴＰ数５１２＜Ｓｔｅｐ１閾値５１４の条件を満たすか確認する（２８２）。条件を満たす場合は、Ｓｔｅｐ１  ＮＥ障害管理表１１９及びＳｔｅｐ１  ＰＴＰ障害管理表１２０の両方で、Ａｒｅａ  ＩＤ＝ｉの状態フィールドを”Ｓｔｅｐ１”に更新し、Ａｒｅａ  ＩＤ＝ｉのエリア障害管理表１２４を削除する。条件を満たさない場合、網管理装置１はステップ２８０から２８２の処理を再度行う。
【００９０】
網管理装置１がＳｔｅｐ２障害数比較機能１１２を用いて、障害ＬＳＰ数５４３÷ＬＳＰ数５４２≧Ｓｔｅｐ２閾値５４４の条件を満たす場合にエリア切替部１１３を起動する。エリア毎にＬＳＰ数に対する障害ＬＳＰ数の割合が、広域災害等により広域に渡り網設備に障害が発生したと判断するに十分な閾値を超えた場合に、障害エリア経由のＬＳＰが伝送していた主信号を別エリア経由のＬＳＰで伝送可能となる。
【００９１】
図３１に戻り、網管理装置１は、Ｓｔｅｐ２障害数比較機能１１２の処理で、障害ＬＳＰ数５４３÷ＬＳＰ数５４２≧Ｓｔｅｐ２閾値５４４の条件を満たすことを確認し（８１４）、エリア切替部１１３を起動する（８１５）。
【００９２】
網管理装置１が備えるエリア切替部１１３の各処理ステップを図１１に示す。図１１で、網管理装置１は処理開始（２９１）後、障害エリアのＡｒｅａ  ＩＤ＝１をキーに、エリア切替表１２５を検索する（２９２）。続いて網管理装置１はカウンタｉ＝１とし（２９３）、障害エリアのＡｒｅａ  ＩＤ＝１で示されるフィールドのｉ＝１行目に記載されている始点ＮＥ６に対し、切替前ＬＳＰ１の転送主信号を切替後ＬＳＰ５で転送するように設定変更の指示を送る（２９４）。続いて網管理装置１は、障害エリアのＡｒｅａ  ＩＤ＝１で示されるフィールドのｉ＝１行目に記載されている終点ＮＥ９に対し、切替前ＬＳＰ１の転送主信号を切替後ＬＳＰ５で転送するように設定変更の指示を送る（２９５）。その後、網管理装置１はカウンタｉを１加算して２とし（２９６）、障害エリアのＡｒｅａ  ＩＤ＝１で示されるフィールドに、ｉ行目が存在するか確認し、ｉ行目が存在する場合はステップ２９４〜２９７を再度繰り返す。ｉ行目が存在しない場合は、エリア切替部１１３を終了する（２９８）。
【００９３】
網管理装置１がエリア切替部１１３の処理で、被災エリア経由の通信を、別エリア経由に切り替えることにより、通信サービスを継続できる。
【００９４】
図３１に戻り、網管理装置１はエリア切替部１１３の処理により、ＬＳＰ１、２、３が伝送する主信号を、ＬＳＰ５、６、７で伝送するように、ＮＥ６、及び、ＮＥ９に対して設定変更の指示を送信する（８１６）。
【００９５】
その結果、図３に示した通り、Ａｒｅａ１の広域災害向け迂回経路であるＬＳＰ５、６、７の運用が開始される。網管理者が予め、ＬＳＰ３を現用系、ＬＳＰ１を予備系とするプロテクション構成を設定していた場合、ＮＥ６及びＮＥ９が自律的に、ＬＳＰ３で伝送していた主信号をＬＳＰ１経由に切替えたが、広域災害発生時は、ＬＳＰ３とＬＳＰ１の両系障害の場合であっても、Ａｒｅａ１経由のＬＳＰを全てＡｒｅａ４経由に切替えることで、網管理者は、通信サービスを継続して提供可能となる。
【００９６】
図３に示した通り、網管理装置１は、広域災害が発生したＡｒｅａ１を経由するＬＳＰをＡｒｅａ４に切替えるが、Ａｒｅａ１に終端点を持つＬＳＰ４については、被災エリア内のエンドユーザが通信サービスを継続して利用するために、経路切替対象外とする。
【００９７】
図３４に、網管理装置１がＳｔｅｐ２障害数比較機能１１２のステップ２８１でＡｒｅａ１を障害エリアを判定したときの、網管理装置１が網管理者に対して提供するインタフェースの運用管理画面の一例を示す。広域災害が発生していないときは通信網を構成するＮＥ２〜９と物理リンク２１〜３３を表示するが、障害エリアであるＡｒｅａ１を構成するＮＥ２〜５、及び物理リンク２１〜２３を表示せずに、Ａｒｅａ１を“障害”表示する。網管理装置１は、Ａｒｅａ１を構成するＮＥ２〜５、及び物理リンク２１〜２３の状態を表示するための別画面を生成する。図３５に、網管理装置１がＡｒｅａ１を構成する２〜５、及び物理リンク２１〜２３の状態表示画面の一例を示す。
【００９８】
網管理装置１がエリア障害時に、障害エリア内のＮＥ／ＰＴＰ状態表示を、通常運用画面とは別の画面で表示することにより、網管理者が通常運用画面を操作する際の操作性及び視認性を向上可能となる。
【００９９】
次に、図１に示す通信網で、ＮＥ９でＤＣＮ接続障害が発生した場合の網管理装置１の処理、及び、Ａｒｅａ１内の広域災害で複数のＮＥで障害が発生した場合に、網管理装置１が網内ＮＥに対して経路切替指示を送信する手順を、図３２のシーケンス図を用いて説明する。
【０１００】
網管理者はサービス提供開始のタイミングで、マウス、キーボード、ディスプレイ等の入出力インタフェースを用いて、網管理装置１が管理するＮＥ−エリア対応表１１７、ＰＴＰ−エリア対応表１１８、Ｓｔｅｐ１  ＮＥ障害管理表１１９におけるＳｔｅｐ１閾値５０４、Ｓｔｅｐ１  ＰＴＰ障害管理表１２０におけるＳｔｅｐ１閾値５１４、サービス−エリア対応表１２３、エリア障害管理表１２４におけるＳｔｅｐ２閾値５４４、及び、エリア切替表１２５の各情報を網管理装置１に設定する。続いて、網管理装置１は、ＮＥ／ＰＴＰ障害管理部１０８、サービス障害管理部１０９、及びＳｔｅｐ１障害数比較機能１１１を起動する（８２１、８２２、８２３）。
【０１０１】
ＮＥ９の主信号転送機能が正常に動作している状態で、ＮＥが搭載する、ＤＣＮ接続インタフェースのみの故障によりＮＥと網管理装置１との間の通信が不能状態になると（８２４）、網管理装置１は、ＮＥ／ＰＴＰ障害管理部１０８のステップ２０２により、ＮＥ  Ｏｐｅｒａｔｉｏｎａｌ  Ｓｔａｔｅ管理表１１５でＮＥ  ＩＤ４０１＝９が含まれる行のＯｐｅｒａｔｉｏｎａｌ  Ｓｔａｔｅ４０２を、“Ｅｎａｂｌｅ”から“Ｄｉｓａｂｌｅ”に更新する。その結果、ＮＥ  Ｏｐｅｒａｔｉｏｎａｌ  Ｓｔａｔｅ管理表１１５は図１２−ｂの状態となる。
【０１０２】
さらに、網管理装置１は、ＮＥ／ＰＴＰ障害管理部１０８のステップ２０４により、Ｓｔｅｐ１  ＮＥ障害管理表１１９でＡｒｅａ  ＩＤ５０１＝３の行５０８の障害ＮＥ数５０３を１加算する。続いて、網管理装置１は、Ｓｔｅｐ１障害数比較機能１１１のステップ２５５により、Ｓｔｅｐ１  ＮＥ障害管理表１１９でＡｒｅａ  ＩＤ５０１＝３の行５０８の現在状態５０５を、“Ｓｔｅｐ１”から“Ｓｔｅｐ２”に更新する。その結果、Ｓｔｅｐ１  ＮＥ障害管理表１１９は図１６−ｂに示す状態となる。その後、Ａｒｅａ３のＳｔｅｐ２障害数比較機能１１２を起動する（８２５）。
【０１０３】
網管理装置１は、Ｓｔｅｐ２障害数比較機能１１２のステップ２８０で、Ａｒｅａ３の障害ＬＳＰ数÷ＬＳＰ数と、Ｓｔｅｐ２閾値６０％の大小比較を実施するが、ＮＥ９の障害はＤＣＮ接続インタフェースの故障のみであり、主信号転送機能は正常に動作しているため、障害ＬＳＰ数÷ＬＳＰ数＝０は、Ｓｔｅｐ２閾値６０％に到達しない。従って、Ｓｔｅｐ２障害数比較機能１１２のステップ２８１は実施されず、網管理装置１はエリア切替部１１３を起動しない。その結果、網管理装置１は、Ａｒｅａ３のエリア障害が発生していない状態と判定し、図４に示した通り、ＬＳＰ１〜４の運用を継続する。
【０１０４】
網管理装置１は、エリア毎に障害ＮＥ数と障害ＬＳＰ数の両方に基づいてエリア障害を判定することにより、障害ＮＥ数が閾値に到達した場合であっても障害ＬＳＰ数が閾値に到達しなければエリア障害が発生していない状態と判定する。従って、網管理装置１は、例えばＮＥが搭載するＤＣＮ接続インタフェースのみの故障など、ＮＥの主信号伝送機能が正常に動作している場合は、ＬＳＰの切替を行わないため、切替による通信断なくサービスを継続提供できる。
【０１０５】
その後、ＮＥ９のＤＣＮ接続インタフェース障害が回復すると（図３２の８２６）、網管理装置１はＳｔｅｐ２障害数比較機能１１２のステップ２８２で障害
障害ＮＥ数５０３÷ＮＥ数５０２＜Ｓｔｅｐ１閾値５０４、かつ、障害ＰＴＰ数５１３÷ＰＴＰ数５１２＜Ｓｔｅｐ１閾値５１４の条件を満たすことを検出する。続いて、網管理装置１は、ステップ２８３でＡｒｅａ３の状態を“Ｓｔｅｐ２”から“Ｓｔｅｐ１”に更新し、Ｓｔｅｐ２障害数比較機能１１２を終了する（図３２の８２７）。
【０１０６】
次に、Ａｒｅａ１内の広域災害等でＮＥ３及びＮＥ４で連続的に障害が発生した場合に、網管理装置１が網内ＮＥに対して経路切替指示を送信する手順を、図３２のステップ８２８〜８３５で説明する。
【０１０７】
Ａｒｅａ１で広域災害の発生等により、ＮＥ３で障害が発生すると、ＮＥ３が警報通知を網管理装置１へ送信する（８２８）。網管理装置１がＮＥ３の警報通知を受信すると、網管理装置１はＮＥ／ＰＴＰ障害管理部１０８のステップ２０２により、ＮＥ  Ｏｐｅｒａｔｉｏｎａｌ  Ｓｔａｔｅ管理表１１５でＮＥ  ＩＤ４０１＝３が含まれる行４０４のＯｐｅｒａｔｉｏｎａｌ  Ｓｔａｔｅ４０２を、“Ｅｎａｂｌｅ”から“Ｄｉｓａｂｌｅ”に更新する。さらに、網管理装置１は、ＮＥ／ＰＴＰ障害管理部１０８のステップ２０４により、Ｓｔｅｐ１  ＮＥ障害管理表１１９でＡｒｅａ  ＩＤ５０１＝１の行５０６の障害ＮＥ数５０３を１加算する。
【０１０８】
続いて、ＮＥ３を経由する通信経路ＬＳＰ１及びＬＳＰ３の端点に位置するＮＥ６及びＮＥ９が、ＬＳＰ１及びＬＳＰ３の警報通知を網管理装置１に送信する（８２９）。網管理装置１は、サービス障害管理１０９のステップ２２３により、サービス状態管理表１２２でＬＳＰ  ＩＤ５２１＝１及び３が含まれる行５２３及び５２５の運用状態５２２を、“運用”から“障害”に更新する。
【０１０９】
次にＮＥ４で障害が発生すると、ＮＥ４が警報通知を網管理装置１へ送信する（８３０）。網管理装置１がＮＥ４の警報通知を受信すると、網管理装置１はＮＥ／ＰＴＰ障害管理部１０８のステップ２０２により、ＮＥ  Ｏｐｅｒａｔｉｏｎａｌ  Ｓｔａｔｅ管理表１１５でＮＥ  ＩＤ４０１＝４が含まれる行４０５のＯｐｅｒａｔｉｏｎａｌ  Ｓｔａｔｅ４０２を、“Ｅｎａｂｌｅ”から“Ｄｉｓａｂｌｅ”に更新する。その結果、ＮＥ  Ｏｐｅｒａｔｉｏｎａｌ  Ｓｔａｔｅ管理表１１５は図１２−ｃに示す状態となる。
【０１１０】
さらに、網管理装置１は、ＮＥ／ＰＴＰ障害管理部１０８のステップ２０４により、Ｓｔｅｐ１  ＮＥ障害管理表１１９でＡｒｅａ  ＩＤ５０１＝１の行５０６の障害ＮＥ数５０３を１加算する。
【０１１１】
その後、網管理装置１はＳｔｅｐ１障害数比較機能１１１のステップ２５４で、Ａｒｅａ１の障害ＮＥ数÷ＮＥ数≧Ｓｔｅｐ１閾値の条件を満たすことを確認する。続いて、ステップ２５５で、Ｓｔｅｐ１  ＮＥ障害管理表１１９で、Ａｒｅａ  ＩＤ＝１が含まれる行５０６の現在状態５０５を“Ｓｔｅｐ１”から“Ｓｔｅｐ２”に更新する。その結果、Ｓｔｅｐ１  ＮＥ障害管理表１１９は図１６−ｃに示す状態となる。その後、網管理装置１は、Ｓｔｅｐ１障害数比較機能１１１のステップ２５６で、Ａｒｅａ１のＳｔｅｐ２障害数比較機能１１２を起動する（図３２の８３１）。
【０１１２】
続いて、ＮＥ４を経由する通信経路ＬＳＰ４の端点に位置するＮＥ２及びＮＥ１１が、ＬＳＰ４の警報通知を網管理装置１に送信する（８３２）。網管理装置１は、サービス障害管理１０９のステップ２２３により、サービス状態管理表１２２でＬＳＰ  ＩＤ５２１＝４が含まれる行５２６の運用状態５２２を、“運用”から“障害”に更新する。その結果、サービス状態管理表１２２は図１８−ｂに示す状態となる。
【０１１３】
網管理装置１は、Ｓｔｅｐ２障害数比較機能１１２のステップ２８０で、Ａｒｅａ１の障害ＬＳＰ数÷ＬＳＰ数≧Ｓｔｅｐ２閾値の条件を満たすことを確認する。その後、網管理装置１は、ステップ２８１でＡｒｅａ１を障害と判定し、エリア切替部１１３を起動する。網管理装置１はエリア切替部１１３の処理により、ＬＳＰ１、２、３が伝送する主信号を、ＬＳＰ５、６、７で伝送するように、ＮＥ６、及び、ＮＥ９に対して設定変更の指示を送信する（８３５）。
【０１１４】
その結果、図５に示した通り、Ａｒｅａ１の広域障害向け迂回経路であるＬＳＰ５、６、７の運用が開始される。Ａｒｅａ１経由のＬＳＰを全てＡｒｅａ４経由に切替えることで、網管理者は、通信サービスを継続して提供可能となる。
【０１１５】
図５に示した通り、網管理装置１は、広域災害が発生したＡｒｅａ１を経由するＬＳＰをＡｒｅａ４に切替えるが、Ａｒｅａ１に終端点を持つＬＳＰ４については、被災エリア内のエンドユーザが通信サービスを継続して利用するために、経路切替対象外とする。
【０１１６】
なお、網管理者がエリアを定義する際、地震や津波などの想定被災範囲がオーバーラップする場合は、図３６に示すように複数のエリアを重複して定義することも可能である。これにより、想定被災エリアが重複する場合であっても、広域災害時に被災エリアを経由する通信経路を別エリア経由に切替えることが可能となる。
【０１１７】
以上に示した処理により、網管理装置１は、通信網を構成するＮＥ２〜１１及び物理リンク２１〜３３の障害状況を管理することで、被災等により大規模に網設備に障害が発生した障害エリアとそうでない非障害エリアを区別し、該障害エリア経由の通信経路を他エリア経由の経路に切り替える。これにより網管理装置は、広域災害が発生した場合に被災エリア経由の通信経路を非被災エリア経由の通信経路に切り替えることができる。その結果網管理者は、プロテクション構成の現用系ＬＳＰと予備系ＬＳＰが両系障害となっている場合であっても、通信サービスを継続して提供することが可能となる。
＜第２の実施形態＞
本発明の第２の実施の形態を、第１の実施の形態との違いを中心に、図面を用いて説明する。第２の実施形態は、エリア障害管理部１１０が、ＮＥまたはＰＴＰ障害を検出するたびに、障害ＬＳＰ数の割合とＳｔｅｐ２閾値の大小比較を行い、障害ＬＳＰ数の割合がＳｔｅｐ２閾値に到達した場合にエリア切替部１１３を起動することを特徴とする。
【０１１８】
図２２は網管理装置１の構成の一例を示すブロック図である。網管理装置１は、ＤＣＮ（ＮＷ１）を介してＮＥ２〜１１と接続する回線１０１（１０１ａ、１０１ｂ）を収容するインタフェース部（ＩＦ）１０２（１０２ａ、１０２ｂ）と、ＣＰＵ１０４と、メモリ１０５と、ハードディスク１０６とから構成される。各構成要素は、バス１０３で接続される。
【０１１９】
メモリ１０５には、ＳＮＭＰ（Ｓｉｍｐｌｅ  Ｎｅｔｗｏｒｋ  Ｍａｎａｇｅｍｅｎｔ  Ｐｒｏｔｏｃｏｌ）通信処理を行うプログラムであるＳＮＭＰ通信処理部１０７、通信経路設定処理を行うプログラムである通信経路設定部１３０、エリア設定処理を行うプログラムであるエリア設定部１３１、ＮＥ及びＰＴＰの障害管理を行うプログラムであるＮＥ／ＰＴＰ障害管理部１０８、ＬＳＰの障害管理を行うプログラムであるサービス障害管理部、Ａｒｅａ１〜４の障害管理を行うプログラムであるエリア障害管理部１１０、及び、被災エリアを経由するＬＳＰを他のエリア経由のＬＳＰに切替えるプログラムであるエリア切替部１１３が記憶されている。
【０１２０】
ＳＮＭＰ通信処理部１０７は、ＮＥ２〜１１との間でＳＮＭＰメッセージを送信または受信する機能を備える。
【０１２１】
通信経路設定部１３０は、通信網の管理者に対してＬＳＰ  ＩＤと複数の経由ＮＥの対応情報の設定インタフェースを提供し、通信網の管理者が設定した内容を各ＮＥに対して設定する機能を備える。さらに、通信経路設定部１３０は、通信網の管理者に対して、現用系と予備系のペアのＬＳＰ  ＩＤから構成されるプロテクション情報の設定インタフェースを提供し、通信網の管理者が設定した内容を、該当ＬＳＰを終端するＮＥに対して設定する機能を備える。
【０１２２】
エリア設定部１３１は、通信網の管理者に対してＮＥとエリアの対応情報、及び、ＰＴＰとエリアの対応情報の設定インタフェースを提供するとともに、ＬＳ  ＩＤとエリアの対応情報を管理する機能を備える。
【０１２３】
ＮＥ／ＰＴＰ障害管理部１０８は、ＮＥ２〜１１またはＮＥ２〜１１が備えるＰＴＰの運用状態が、運用可能状態と運用不可状態のいずれであるかを管理する。
【０１２４】
サービス障害管理部１０９は、ＬＳＰ１〜４の運用状態が、運用可能状態と運用不可状態のいずれであるかを管理する。
【０１２５】
エリア障害管理部１１０は、エリア（Ａｒｅａ１〜４）毎に障害ＮＥまたは障害ＰＴＰを検出したら、該当エリアを経由する障害ＬＳＰ数と予め網管理者が定めた閾値を比較する機能を備える。
【０１２６】
エリア切替部１１３は、エリア障害管理部１１０により障害と判定されたエリアを経由するＬＳＰを、他のエリア経由に切替える機能を備える。
【０１２７】
ハードディスク１０６は、ＮＥ及びＰＴＰの障害管理情報１１４、サービスの障害管理情報１２１、エリア障害の判定に用いるエリア障害判定情報１２９、及び、エリア障害時のＬＳＰ切替における、切替前ＬＳＰと切替後のＬＳＰの対応を管理するエリア切替表１２５から構成される。
【０１２８】
ＮＥ／ＰＴＰ障害管理情報１１４は、ＮＥ２〜１１の運用状態を管理するＮＥ  Ｏｐｅｒａｔｉｏｎａｌ  Ｓｔａｔｅ管理表１１５、及び、ＮＥ２〜１１が備えるＰＴＰの運用状態を管理するＰＴＰ  Ｏｐｅｒａｔｉｏｎａｌ  Ｓｔａｔｅ管理表１１６から構成される。
【０１２９】
サービス障害管理情報１２１は、ＬＳＰ１〜４の運用状態を管理するサービス状態管理表１２２から構成される。
【０１３０】
エリア障害判定情報１２９は、ＮＥ２〜１１と各ＮＥが配置されるエリア（Ａｒｅａ１〜４）との対応情報を管理するＮＥ−エリア対応表１１７、ＮＥ２〜１１が備えるＰＴＰと各ＰＴＰが配置されるエリア（Ａｒｅａ１〜４）との対応情報を管理するＰＴＰ−エリア対応表１１８、各ＮＥと該当ＮＥが収容するＬＳＰの対応情報を管理するＮＥ収容サービス管理表１２６、各ＰＴＰと該当ＰＴＰが収容するＬＳＰの対応情報を管理するＰＴＰ収容サービス管理表１２７、エリア毎の障害ＬＳＰ数および障害ＬＳＰ数閾値を管理するエリア障害管理表１２４、及び、各ＬＳＰの運用状態、ＬＳＰ障害の要因、及びＬＳＰ経由エリアの対応情報を管理するサービス障害要因管理表１２８から構成される。
【０１３１】
図２６は、網管理装置１に格納されるＮＥ  Ｏｐｅｒａｔｉｏｎａｌ  Ｓｔａｔｅ管理表１１５のテーブル構成の一例である。ＮＥ  Ｏｐｅｒａｔｉｏｎａｌ  Ｓｔａｔｅ管理表１１５は、ＮＥを一意に識別するＮＥ  ＩＤ（４０１）、各ＮＥの運用状態を表すＯｐｅｒａｔｉｏｎａｌ  Ｓｔａｔｅ（４０２）、及び、Ｏｐｅｒａｔｉｏｎａｌ  Ｓｔａｔｅが“Ｄｉｓａｂｌｅ”となった要因５７１の対応情報を格納する。例えば、網管理装置１が、ＮＥ４の電圧低下または予備電源への切替を検出すると、網管理装置１はＮＥ  Ｏｐｅｒａｔｉｏｎａｌ  Ｓｔａｔｅ管理表１１５内でＮＥ  ＩＤ＝４の行４０５におけるＯｐｅｒａｔｉｏｎａｌ  Ｓｔａｔｅ４０２のフィールドに、運用不可を意味する”Ｄｉｓａｂｌｅ”を格納し、要因５７１フィールドに“電圧低下/電源切替”を格納する。
【０１３２】
網管理装置１がＮＥ  Ｏｐｅｒａｔｉｏｎａｌ  Ｓｔａｔｅ管理表１１５を用いてＮＥ障害要因を管理することにより、網管理装置１は、局舎の非常電源で延命中のＮＥが収容する、近い将来通信断となることが予測されるＬＳＰを、通常運用中のＬＳＰと区別可能となる。
【０１３３】
図２７は、網管理装置１に格納されるＮＥ収容サービス管理表１２６のテーブル構成の一例である。ＮＥ収容サービス管理表１２６は、ＮＥを一意に識別するＮＥ  ＩＤ（５８１）と、該当ＮＥが収容するＬＳＰを一意に識別するＬＳＰ  ＩＤ（５８２）の対応情報を格納する。網管理装置１がＮＥ収容サービス管理表１２６を用いて各ＮＥの収容ＬＳＰを管理することにより、障害ＮＥの収容ＬＳＰのみについて、障害状態を確認可能となる。
【０１３４】
図２８は、網管理装置１に格納されるＰＴＰ収容サービス管理表１２７のテーブル構成の一例である。ＰＴＰ収容サービス管理表１２７は、ＰＴＰを一意に識別するＰＴＰ  ＩＤ（６０１）と、該当ＰＴＰが収容するＬＳＰを一意に識別するＬＳＰ  ＩＤ（６０２）の対応情報を格納する。網管理装置１がＰＴＰ収容サービス管理表１２７を用いて各ＰＴＰの収容ＬＳＰを管理することにより、障害ＰＴＰの収容ＬＳＰのみについて、障害状態を確認可能となる。
【０１３５】
図２９−ａは、網管理装置１に格納されるエリア障害管理表１２４のテーブル構成の一例である。エリア障害管理表１２４は、エリアを一意に識別するＡｒｅａ  ＩＤ（６３１）、各Ａｒｅａ経由するＬＳＰ数（６３２）、該当エリアを経由する障害ＬＳＰ数（６３３）、予め網管理者がエリア毎に設定するＳｔｅｐ２閾値（６３４）、及び、該当エリアの現在状態（６３５）の対応情報を格納する。網管理装置１は、ＬＳＰ数６３２に対する障害ＬＳＰ数６３３の割合が、Ｓｔｅｐ２閾値６３４に達した場合に、現在状態６３５を“正常”から“障害”に更新する。網管理者が、個々のＬＳＰに対して設定する現用系と予備系のペアからなるＬＳＰプロテクションにより救済可能な範囲で、エリア単位のＬＳＰ切替ではなくプロテクションにより救済されるように、Ｓｔｅｐ２閾値６３４を設定する。例えば、Ａｒｅａ内で全てのＬＳＰに対して現用系と予備系のペアが設定されている場合は、統計的に５０％のＮＥ障害をプロテクションで救済可能なので、Ｓｔｅｐ２閾値として５０％を設定する。また、網管理者が、プロテクション構成による切替が高優先で実行されることを望む場合は、Ｓｔｅｐ２閾値６３４として例えば６０％など、より高い値を設定する。
【０１３６】
網管理装置１がエリア障害管理表１２４を管理し、ＬＳＰ数６３２に対する障害ＬＳＰ数６３３の割合と、Ｓｔｅｐ２閾値６３４との大小比較を行うことで、被災エリアにおける障害ＬＳＰ数に基づいたエリア障害を判定可能となる。
【０１３７】
図３０−ａは、網管理装置１に格納されるサービス障害要因管理表１２８のテーブル構成の一例である。サービス障害管理表１２８は、ＬＳＰを一意に識別するＬＳＰ  ＩＤ（６５１）、各ＬＳＰの状態が正常運用状態と障害状態のいずれかを示す運用状態（６５２）、障害ＬＳＰの障害要因となったＮＥまたはＰＴＰのＩＤ（６５３）、及び、ＬＳＰが経由するＡｒｅａを示すＬＳＰ経由エリア（６５１）の対応情報を格納する。
【０１３８】
ＮＥ３及びＮＥ４で障害が発生した場合のサービス状態管理表１２８を図３０−ｂに示す。網管理装置１は、ＬＳＰ１（６５５）及びＬＳＰ２（６５６）の運用状態６５２を“障害”とし、障害要因６５３として“ＮＥ３”及び“ＮＥ４”を格納する。さらに網管理装置１は、ＬＳＰ４（６５８）の運用状態６５２を“障害”とし、障害要因６５３として“ＮＥ４”を格納する。
【０１３９】
物理リンク２１、２２及び２３で障害が発生した場合のサービス状態管理表１２８を図３０−ｃに示す。網管理装置１は、ＬＳＰ１（６５５）の運用状態６５２を“障害”とし、障害要因６５３として“ＰＴＰ３−３”及び“ＰＴＰ４−３”を格納する。また網管理装置１は、ＬＳＰ３（６５７）の運用状態６５２を“障害”とし、障害要因６５７として“ＰＴＰ２−１”、“ＰＴＰ３−１”、“ＰＴＰ２−２”、及び、“ＰＴＰ４−１”を格納する。さらに網管理装置１は、ＬＳＰ４（６５８）の運用状態６５２を“障害”とし、障害要因６５７として  “ＰＴＰ２−２”、及び、“ＰＴＰ４−１”を格納する。
【０１４０】
網管理装置が、障害ＬＳＰの障害要因となったＮＥ及びＰＴＰを管理することにより、ＮＥ−エリア対応表１１７とＰＴＰ−エリア対応表１１８と組み合わせて、ＬＳＰの障害要因となったＮＥまたはＰＴＰが位置するエリアを特定可能となる。
【０１４１】
次に、図１に示す通信網で、Ａｒｅａ１内の広域災害が発生し、複数のＮＥで障害が発生した場合に、網管理装置１が網内ＮＥに対して経路切替指示を送信する手順を、図３３のシーケンス図を用いて説明する。
【０１４２】
網管理者はサービス提供開始のタイミングで、マウス、キーボード、ディスプレイ等の入出力インタフェースを用いて、網管理装置１が管理するＮＥ−エリア対応表１１７、ＰＴＰ−エリア対応表１１８、サービス−エリア対応表１２３、エリア障害管理表１２４におけるＳｔｅｐ２閾値５４４、及び、エリア切替表１２５の各情報を網管理装置１に設定する。続いて、網管理装置１は、ＮＥ／ＰＴＰ障害管理部１０８、サービス障害管理部１０９、及びエリア障害管理部１１０を起動する（８４１、８４２、８４３）。
【０１４３】
ＮＥ／ＰＴＰ障害管理部１０８の各処理ステップを図２３に示す。図２３で、処理開始（３０１）後、網管理装置１がＮＥまたはＰＴＰの警報発生通知を受信すると（３０２）、ＮＥ  Ｏｐｅｒａｔｉｏｎａｌ  Ｓｔａｔｅ管理表１１５またはＰＴＰ  Ｏｐｅｒａｔｉｏｎａｌ  Ｓｔａｔｅ管理表１１６を検索し、該当ＮＥまたは該当ＰＴＰのＯｐｅｒａｔｉｏｎａｌ  Ｓｔａｔｅフィールドを“Ｅｎａｂｌｅ”から“Ｄｉｓａｂｌｅ”に更新する（３０３）。網管理装置１が、図２６に示す、要因５７１フィールドを含むＮＥ  Ｏｐｅｒａｔｉｏｎａｌ  Ｓｔａｔｅ管理表を管理する場合は、ＮＥ障害の要因５７１を併せて格納する。ステップ３０３終了後、ステップ３０２に戻る。
【０１４４】
一方、網管理装置がステップ３０２で警報発生通知を受信しない場合は、ＮＥまたはＰＴＰの警報回復通知の受信有無を確認し（３０４）、警報回復通知がない場合は、再度ステップ３０２に戻る。網管理装置１がＮＥまたはＰＴＰの警報回復通知を受信した場合は、ＮＥ  Ｏｐｅｒａｔｉｏｎａｌ  Ｓｔａｔｅ管理表１１５またはＰＴＰ  Ｏｐｅｒａｔｉｏｎａｌ  Ｓｔａｔｅ管理表１１６を検索し、該当ＮＥまたは該当ＰＴＰのＯｐｅｒａｔｉｏｎａｌ  Ｓｔａｔｅフィールドを“Ｄｉｓａｂｌｅ”から“Ｅｎａｂｌｅ”に更新する（３０５）。ステップ３０５終了後、ステップ３０２に戻る。
【０１４５】
ＮＥ／ＰＴＰ障害管理部１０８が、ＮＥ／ＰＴＰの警報発生時及び回復時に、ＮＥ  Ｏｐｅｒａｔｉｏｎａｌ  Ｓｔａｔｅ管理表１１５、または、ＰＴＰ  Ｏｐｅｒａｔｉｏｎａｌ  Ｓｔａｔｅ管理表１１６を更新することにより、網管理装置１が、障害ＮＥ数及び障害ＰＴＰ数を管理可能となる。
【０１４６】
次に、サービス障害管理部１０９の各処理ステップを図２４に示す。図２４で、処理開始（３１１）後、網管理装置１がＬＳＰの警報発生通知を受信すると（３１２）、サービス状態管理表１２２を検索し、該当ＬＳＰの運用状態フィールドを“運用”から“障害”に更新する（３１３）。ステップ３１３終了後、ステップ２２２に戻る。
【０１４７】
一方、ステップ３１２でＬＳＰの警報発生通知を受信していない場合は、ＬＳＰの警報回復通知の受信有無を確認し（ステップ３１４）、警報間服通知を受信していない場合は、ステップ３１２に戻る。警報回復通知を受信した場合はサービス状態管理表１２２を検索し、該当ＬＳＰの運用状態フィールドを“障害”から“運用”に更新する（３１５）。ステップ３１５終了後、ステップ３１２に戻り、ＬＳＰの警報発生または警報回復通知の受信待ち状態となる。
【０１４８】
網管理装置１が、サービス障害管理部１０９の処理により、ＬＳＰ警報発生時及びＬＳＰ警報回復時に、サービス状態管理表１２２を更新することにより、網管理装置１は、障害ＬＳＰ数を管理可能となる。
【０１４９】
図３３に戻り、Ａｒｅａ１で広域災害が発生し、ＮＥ３で電源断の障害が発生すると、ＮＥ３が警報通知を網管理装置１へ送信する（８４４）。網管理装置１がＮＥ３の警報通知を受信すると、網管理装置１はＮＥ／ＰＴＰ障害管理部１０８のステップ３０３で、ＮＥ  Ｏｐｅｒａｔｉｏｎａｌ  Ｓｔａｔｅ管理表１１５でＮＥ  ＩＤ４０１＝３が含まれる行４０４のＯｐｅｒａｔｉｏｎａｌ  Ｓｔａｔｅ４０２を“Ｅｎａｂｌｅ”から“Ｄｉｓａｂｌｅ”に更新し、要因５７１を“電源断”に更新する。
【０１５０】
続いて、ＮＥ３を経由する通信経路ＬＳＰ１及びＬＳＰ３の端点に位置するＮＥ６及びＮＥ９が、ＬＳＰ１及びＬＳＰ３の警報通知を網管理装置１に送信する（８４５）。網管理装置１は、サービス障害管理１０９のステップ３１３により、サービス状態管理表１２２でＬＳＰ  ＩＤ５２１＝１及び３が含まれる行５２３及び５２５の運用状態５２２を、“運用”から“障害”に更新する。
【０１５１】
次にＮＥ４で電圧低下の障害または予備電源への切替が発生すると、ＮＥ４が警報通知を網管理装置１へ送信する（８４６）。網管理装置１がＮＥ４の警報通知を受信すると、網管理装置１はＮＥ／ＰＴＰ障害管理部１０８のステップ３０３により、ＮＥ  Ｏｐｅｒａｔｉｏｎａｌ  Ｓｔａｔｅ管理表１１５でＮＥ  ＩＤ４０１＝４が含まれる行４０５のＯｐｅｒａｔｉｏｎａｌ  Ｓｔａｔｅ４０２を“Ｅｎａｂｌｅ”から“Ｄｉｓａｂｌｅ”に更新し、要因５７１を“電圧低下/電源切替”に更新する。
【０１５２】
その後、網管理装置１は、エリア障害管理部１１０で、Ａｒｅａ１内を経由する障害ＬＳＰ数が、予め網管理者が定めた閾値に到達したことを検出する（８４８）。エリア障害管理部１１０の各処理ステップを図２５に示す。
【０１５３】
図２５で、処理開始（３２１）後、網管理装置１は、ＮＥ  Ｏｐｅｒａｔｉｏｎａｌ  Ｓｔａｔｅ管理表１１５及びＰＴＰ  Ｏｐｅｒａｔｉｏｎａｌ  Ｓｔａｔｅ管理表１１６の更新待ち状態となる（３２２）。ＮＥ  Ｏｐｅｒａｔｉｏｎａｌ  Ｓｔａｔｅ管理表１１５またはＰＴＰ  Ｏｐｅｒａｔｉｏｎａｌ  Ｓｔａｔｅ管理表１１６が更新されると、更新内容が“Ｅｎａｂｌｅ”から“Ｄｉｓａｂｌｅ”への更新である場合は（３２３）、ＮＥ−エリア対応表１１７またはＰＴＰ−エリア対応表１１８を検索し、該当ＮＥまたはＰＴＰが存在するエリアを特定する（３２４）。続いて網管理装置１は、該当ＮＥまたはＰＴＰのＩＤをキーに、ＮＥ収容サービス管理表１２６  またはＰＴＰ収容サービス管理表１２７を検索し、収容ＬＳＰを特定する（３２５）。ステップ３２２及び３２３でＮＥ  Ｏｐｅｒａｔｉｏｎａｌ  Ｓｔａｔｅ管理表１１５の更新内容が“Ｅｎａｂｌｅ”から“Ｄｉｓａｂｌｅ”であり、かつ要因５７１が“電圧低下/電源切替”
である場合は（３３４）、網管理装置１はステップ３２５で取得した全ＬＳＰを障害状態としてカウントする（３３５）。  一方、ステップ３３４で要因５７１が“電圧低下/電源切替”でない場合は、ステップ３２５で取得したＬＳＰ  ＩＤでサービス状態管理表１２２を検索し、障害状態の収容サービス数をカウントする。続いて網管理装置１は、障害状態としてカウントしたＬＳＰ  ＩＤをキーに、サービス障害要因管理表１２８を検索し、運用状態６５２を”障害”に更新する。さらに、網管理装置１は、障害要因６５３に該当ＮＥまたはＰＴＰのＩＤを格納する（３２７）。次に、網管理装置１は、エリア障害管理表１２４のステップ３２４で取得したエリアＩＤが含まれる行に対して、障害ＬＳＰ数６３３にステップ３３５または３２６で取得した障害状態のＬＳＰ数を加算する（３２８）。続いて網管理装置１は、障害ＬＳＰ数６３３÷ＬＳＰ数６３２≧Ｓｔｅｐ２閾値６３４の条件を満たすか確認する（３２９）。条件を満たさない場合は、ステップ３２２へ戻る。条件を満たす場合、網管理装置１はステップ３２４で取得したエリアを対象に、エリア障害管理表１２４のエリア状態６３５を“正常”から“障害”に更新し、エリア切替部１１３を起動して（３３０）、ステップ３２２へ戻る。
【０１５４】
一方、ステップ３２３で更新内容が  “Ｄｉｓａｂｌｅ”から“Ｅｎａｂｌｅ”であった場合は、ＮＥ−エリア対応表１１７またはＰＴＰ−エリア対応表１１８を検索し、該当ＮＥまたはＰＴＰが存在するエリアを特定する（３３１）。続いて網管理装置１は、該当ＮＥまたはＰＴＰのＩＤをキーに、ＮＥ収容サービス管理表１２６  またはＰＴＰ収容サービス管理表１２７を検索し、収容ＬＳＰを特定する（３３２）。さらに網管理装置１は、ステップ３３２で取得したＬＳＰ  ＩＤをキーにサービス障害要因管理表１２８を検索し、障害要因６５３から該当ＮＥまたはＰＴＰのＩＤを削除する。その結果、障害要因６５３が“−（該当無し）”となった場合は、運用状態６５２を”運用”に更新する。以上の処理が完了したら、ステップ３２２に戻る。
【０１５５】
網管理装置１が、ＮＥの障害要因が“電圧低下/電源切替”の場合に、ステップ３３５で該当ＮＥの全収容ＬＳＰを障害状態としてカウントすることにより、局舎の非常電源で延命中のＮＥが収容するＬＳＰを障害ＬＳＰとしてカウント可能となる。その結果、非常電源断によりＬＳＰが障害となってからエリア障害判定を行うよりも短いサービス断時間で、ＬＳＰの経由エリアを切替可能となる。
【０１５６】
図３３に戻り、網管理装置１はエリア障害管理部１１０の処理により、エリア障害管理表１２４が図２９−ｂに示す状態となり、Ａｒｅａ１内を経由する障害ＬＳＰ数が、予め網管理者が定めた閾値に到達したことを検出して（８４８）、エリア切替部１１３を起動する（８４９）。続いて、網管理装置１はエリア切替部１１３の処理により、ＬＳＰ１、２、３が伝送する主信号を、ＬＳＰ５、６、７で伝送するように、ＮＥ６、及び、ＮＥ９に対して設定変更の指示を送信する（８５０）。
【０１５７】
その結果、図５に示した通り、Ａｒｅａ１の広域災害向け迂回経路であるＬＳＰ５、６、７の運用が開始される。Ａｒｅａ１経由のＬＳＰを全てＡｒｅａ４経由に切替えることで、網管理者は、通信サービスを継続して提供可能となる。
【０１５８】
図５に示した通り、網管理装置１は、広域災害が発生したＡｒｅａ１を経由するＬＳＰをＡｒｅａ４に切替えるが、Ａｒｅａ１に終端点を持つＬＳＰ４については、被災エリア内のエンドユーザが通信サービスを継続して利用するために、経路切替対象外とする。
【０１５９】
網管理装置１は、各ＬＳＰの帯域を管理し、エリア障害管理部１１０のステップ３２９で、障害ＬＳＰ数÷ＬＳＰ数ではなく、障害ＬＳＰ帯域の和÷ＬＳＰ帯域の和とＳｔｅｐ２閾値の比較を行っても良い。これにより、網管理装置１は、通信不可となった帯域リソースに基づいて、エリア障害を判定可能となる。
【０１６０】
また網管理装置１は、各ＬＳＰの優先度を管理し、エリア障害管理部１１０のステップ３２９で、障害ＬＳＰ数÷ＬＳＰ数ではなく、一定優先度以上のＬＳＰのみを対象に、障害ＬＳＰ帯域の和÷ＬＳＰ帯域の和とＳｔｅｐ２閾値の比較を行っても良い。これにより、網管理装置１は、優先度の高いＬＳＰのみを対象に、通信不可となった帯域リソースに基づいて、エリア障害を判定可能となる。
【符号の説明】
【０１６１】
Ａｒｅａ１〜５  エリア
１  網管理装置
２〜１１  ＮＥ
２１〜３３  物理リンク
ＬＳＰ１〜７  ＬＳＰ
３３  網管理サーバ
１０８  ＮＥ／ＰＴＰ障害管理部
１０９  サービス障害管理部
１１０  エリア障害管理部
１１１  Ｓｔｅｐ１障害数比較機能
１１２  Ｓｔｅｐ２障害数比較機能
１１３  エリア切替部
１１７  ＮＥ−エリア対応表
１１８  ＰＴＰ−エリア対応表
１１９  Ｓｔｅｐ１  ＮＥ障害管理表
１２０  Ｓｔｅｐ１  ＰＴＰ障害管理表
１２２  サービス状態管理表
１２３  サービス−エリア対応表
１２４  エリア障害管理表
１２５  エリア切替表
１２６  ＮＥ収容サービス管理表
１２７  ＰＴＰ収容サービス管理表
１２８  サービス障害要因管理表
【図１】
2014011753.tif 000003
【図２】
2014011753.tif 000004
【図３】
2014011753.tif 000005
【図４】
2014011753.tif 000006
【図５】
2014011753.tif 000007
【図６】
2014011753.tif 000008
【図７】
2014011753.tif 000009
【図８】
2014011753.tif 000010
【図９】
2014011753.tif 000011
【図１０】
2014011753.tif 000012
【図１１】
2014011753.tif 000013
【図１２−ａ】
2014011753.tif 000014
【図１２−ｂ】
2014011753.tif 000015
【図１２−ｃ】
2014011753.tif 000016
【図１３−ａ】
2014011753.tif 000017
【図１３−ｂ】
2014011753.tif 000018
【図１４】
2014011753.tif 000019
【図１５】
2014011753.tif 000020
【図１６−ａ】
2014011753.tif 000021
【図１６−ｂ】
2014011753.tif 000022
【図１６−ｃ】
2014011753.tif 000023
【図１７−ａ】
2014011753.tif 000024
【図１７−ｂ】
2014011753.tif 000025
【図１７−ｃ】
2014011753.tif 000026
【図１８−ａ】
2014011753.tif 000027
【図１８−ｂ】
2014011753.tif 000028
【図１９】
2014011753.tif 000029
【図２０−ａ】
2014011753.tif 000030
【図２０−ｂ】
2014011753.tif 000031
【図２１】
2014011753.tif 000032
【図２２】
2014011753.tif 000033
【図２３】
2014011753.tif 000034
【図２４】
2014011753.tif 000035
【図２５】
2014011753.tif 000036
【図２６】
2014011753.tif 000037
【図２７】
2014011753.tif 000038
【図２８】
2014011753.tif 000039
【図２９−ａ】
2014011753.tif 000040
【図２９−ｂ】
2014011753.tif 000041
【図３０−ａ】
2014011753.tif 000042
【図３０−ｂ】
2014011753.tif 000043
【図３０−ｃ】
2014011753.tif 000044
【図３１】
2014011753.tif 000045
【図３２】
2014011753.tif 000046
【図３３】
2014011753.tif 000047
【図３４】
2014011753.tif 000048
【図３５】
2014011753.tif 000049
【図３６】
2014011753.tif 000050
【図３７】
2014011753.tif 000051